(57)【特許請求の範囲】
【請求項１】
環状に配管して冷凍サイクルを構成し、かつ外周に空間を形成した圧縮機、凝縮器、絞り装置、蒸発器と、空調負荷の状態を検出する運転状態検出手段と、この運転状態検出手段が検出した出力信号に応じ、前記空間に冷媒を溜め圧縮機の放熱促進および圧縮機の放熱を抑制するように制御する制御手段を備えた冷凍装置。
【請求項２】
環状に配管して冷凍サイクルを構成し、かつ外周に冷媒溜めの空間を形成した圧縮機、凝縮器、絞り装置、蒸発器と、運転状態検出手段と、前記圧縮機の空間を前記圧縮機の吐出配管に接続する第１の２方弁と、前記圧縮機の空間を前記圧縮機の吸入配管に接続する第２の２方弁と、前記運転状態検出手段の出力信号に応じ、前記第１の２方弁の開閉を制御する第１の２方弁制御手段および前記第２の２方弁の開閉を制御する第２の２方弁制御手段を備えた冷凍装置。
【請求項３】
環状に配管して冷凍サイクルを構成し、かつ外周に冷媒溜めの空間を形成した圧縮機、凝縮器、絞り装置、蒸発器と、運転状態検出手段と、前記圧縮機の空間を前記凝縮器と前記絞り装置の間の配管に接続する第１の２方弁と、前記圧縮機の空間を前記圧縮機の吸入配管に接続する第２の２方弁と、前記運転状態検出手段の出力信号に応じ、前記第１の２方弁の開閉を制御する第１の２方弁制御手段および前記第２の２方弁の開閉を制御する第２の２方弁制御手段を備えた冷凍装置。
【請求項４】
絞り装置をキャピラリ−チュ−ブで形成し、このキャピラリ−チュ−ブに第３の２方弁を直列に接続するとともに、前記第３の２方弁の開閉を制御する第３の２方弁制御手段を設けた請求項１〜請求項３のいずれか一項に記載の冷凍装置。
【請求項５】
絞り装置を全閉可能な膨張弁で形成するとともに、前記膨張弁の開度を制御する膨張弁開度制御手段を設けた請求項１〜請求項３のいずれか一項に記載の冷凍装置。
【請求項６】
圧縮機の空間を形成する外郭を凝縮器の非加熱媒体の流路に面するようにした請求項１〜請求項５のいずれか一項に記載の冷凍装置。
【請求項７】
環状に配管して冷凍サイクルを構成し、かつ外周に冷媒溜めの空間を形成した圧縮機、４方弁、室外熱交換器、絞り装置、室内熱交換器と、前記圧縮機の空間を前記４方弁と前記室外熱交換器の間の配管に接続する第１の２方弁と、運転状態検出手段と、この運転状態検出手段の出力信号に応じ、前記第１の２方弁の開閉を制御する第１の
２方弁制御手段を備えた空気調和装置。
【請求項８】
環状に配管して冷凍サイクルを構成し、かつ外周に冷媒溜めの空間を形成した圧縮機、４方弁、室外熱交換器、絞り装置、室内熱交換器と、前記圧縮機の空間を前記室外熱交換器と前記絞り装置の間の配管に接続する第１の２方弁と、運転状態検出手段と、この運転状態検出手段の出力信号に応じ、前記第１の２方弁の開閉を制御する第１の２方弁制御手段を備えた空気調和装置。
【請求項９】
環状に配管して冷凍サイクルを構成し、かつ外周に冷媒溜めの空間を形成した圧縮機、４方弁、室外熱交換器、絞り装置、室内熱交換器と、前記圧縮機の空間を前記４方弁と前記室外熱交換器の間の配管に接続する第１の２方弁と、前記圧縮機の空間を前記４方弁と前記室内熱交換器の間の配管に接続する第２の２方弁と、運転状態検出手段と、前記運転状態検出手段の出力信号に応じ、前記第１の２方弁の開閉を制御する第１の２方弁制御手段および第２の２方弁の開閉を制御する第２の２方弁制御手段を備えた空気調和装置。
【請求項１０】
環状に配管して冷凍サイクルを構成し、かつ外周に冷媒溜めの空間を形成した圧縮機、４方弁、室外熱交換器、絞り装置、室内熱交換器と、前記圧縮機の空間を前記室外熱交換器と前記絞り装置の間の配管に接続する第１の２方弁と、前記圧縮機の空間を前記室内熱交換器と前記４方弁の間の配管に接続する第２の２方弁と、運転状態検出手段と、前記運転状態検出手段の出力信号に応じ、前記第１の２方弁の開閉を制御する第１の２方弁制御手段および前記第２の２方弁の開閉を制御する第２の２方弁制御手段を備えた空気調和装置。
【請求項１１】
環状に配管して冷凍サイクルを構成する、外周に冷媒溜めの空間を形成した圧縮機、４方弁、室外熱交換器、絞り装置、室内熱交換器と、前記圧縮機の空間を前記圧縮機の吐出配管に接続する第１の２方弁と、前記圧縮機の空間を前記圧縮機の吸入配管に接続する第２の２方弁と、運転状態検出手段と、前記運転状態検出手段の出力信号に応じ、前記第１の２方弁の開閉を制御する第１の２方弁制御手段および前記第２の２方弁の開閉を制御する第２の２方弁制御手段を備えた空気調和装置。
【請求項１２】
絞り装置をキャピラリチューブで形成し、前記キャピラリチューブに第３の２方弁を直列に接続するとともに、前記第３の２方弁の開閉を制御する第３の２方弁制御手段を設けた請求項７〜請求項１１のいずれか一項に記載の空気調和装置。
【請求項１３】
絞り装置を全閉可能な膨張弁で形成するとともに、前記膨張弁の開度を制御する膨張弁開度制御手段を設けた請求項７〜請求項１１のいずれか一項に記載の空気調和装置。
【請求項１４】
空間を形成する圧縮機の外郭を室外熱交換器の非加熱媒体の流路に面するようにした請求項７〜請求項１３のいずれか一項に記載の空気調和装置。
【請求項１５】
空間を形成する圧縮機の外郭を室外熱交換器の非加熱媒体の流路に面するようにせしめ、かつ前記外郭に放熱用フィンを設けた請求項１〜請求項１４のいずれか一項に記載の空気調和装置。
【請求項１６】
空調負荷の状態を検出する運転状態検出手段が検出した出力信号に応じ、圧縮機からの放熱を促進する場合は前記圧縮機の空間に液冷媒が溜まるように制御し、前記圧縮機からの放熱を抑制する場合は前記圧縮機の空間にガス冷媒が溜まるように制御する冷凍装置の制御方法。
【請求項１７】
空調負荷の状態を検出する運転状態検出手段が検出した出力信号に応じ、圧縮機からの放熱を促進する場合は前記圧縮機の空間に液冷媒が溜まるように制御し、前記圧縮機からの放熱を抑制する場合は前記圧縮機の空間に大気圧以下のガス冷媒が溜まるように制御する冷凍装置の制御方法。
【発明の詳細な説明】
【０００１】
【発明の属する技術分野】
本発明は、冷凍庫、冷蔵庫、冷暖房装置、その他機器等に使用する冷凍装置およびその制御方法とそれを使用した空気調和装置に関するものである。
【０００２】
【従来の技術】
従来の冷凍装置は図１７に示すように圧縮機１０１、凝縮器１０２、絞り装置１０３、蒸発器１０４を、環状に配管して冷凍サイクルを構成している。
【０００３】
以上のように構成された冷凍装置について、以下その動作について説明する。圧縮機１０１で圧縮された高温高圧の冷媒蒸気は、凝縮器１０２で放熱し、凝縮液化する。その後、絞り装置１０３で減圧膨張されて低温低圧の冷媒となり蒸発器１０４で吸熱して蒸発、気化した後、低温低圧の冷媒蒸気となり、再び圧縮機１０１で圧縮され冷凍サイクルを繰り返す。
【０００４】
【発明が解決しようとする課題】
しかしながら、上記のような構成では以下のような課題があった。すなわち、冷凍負荷が高い場合、圧縮機１０１の吐出圧力や吐出温度が上昇する。この状態ではエネルギー効率が低下するだけでなく、長時間運転すると圧縮機１０１のモータの焼き付き等で、冷凍機の信頼性を低下させることがある。
【０００５】
また、冷凍負荷が低い場合、圧縮機１０１の吐出温度が上がらず、圧縮機内で冷媒が凝縮し冷凍機油に冷媒が溶け込んで油の粘度が低下するため、冷凍機の信頼性を低下させることがある。
【０００６】
本発明は上記従来例の課題を解決するもので、圧縮機からの放熱促進および放熱の抑制を制御し、冷凍装置およびこれを使用した空気調和装置のエネルギーの効率と信頼性の向上を図ることを目的としたものである。
【０００７】
【課題を解決するための手段】
上記課題を解決するために、本発明の第１の技術的手段は、環状に配管して冷凍サイクルを構成し、かつ外周に空間を形成した圧縮機、凝縮器、絞り装置、蒸発器と、空調負荷の状態を検出する運転状態検出手段と、この運転状態検出手段からの出力信号に応じ、前記空間に冷媒を溜め圧縮機の放熱促進および圧縮機の放熱を抑制するように制御する制御手段を備えた冷凍装置である。
【０００８】
また、本発明の第２の技術的手段は、環状に配管して冷凍サイクルを構成し、かつ外周に冷媒溜めの空間を形成した圧縮機、凝縮器、絞り装置、蒸発器と、運転状態検出手段と、前記圧縮機の空間を前記圧縮機の吐出配管に接続する第１の２方弁と、前記圧縮機の空間を前記圧縮機の吸入配管に接続する第２の２方弁と、前記運転状態検出手段の出力信号に応じ、前記第１の２方弁の開閉を制御する第１の２方弁制御手段および前記第２の２方弁の開閉を制御する第２の２方弁制御手段を備えた冷凍装置である。
【０００９】
また本発明の第３の技術的手段は、圧縮機からの放熱を促進する場合は前記圧縮機の空間に液冷媒が溜まるように制御し、前記圧縮機からの放熱を抑制する場合は前記圧縮機の空間にガス冷媒が溜まるように制御する冷凍装置の制御方法である。
【００１０】
これらの技術的手段によれば、負荷の状態に応じて圧縮機の放熱促進および放熱抑制を行いエネルギー効率と装置の信頼性の向上を図ることができる。
【００１１】
また本発明の第４の技術的手段は、環状に配管して冷凍サイクルを構成し、かつ外周に冷媒溜めの空間を形成した圧縮機、４方弁、室外熱交換器、絞り装置、室内熱交換器と、前記圧縮機の空間を前記４方弁と前記室外熱交換器の間の配管に接続する第１の２方弁と、運転状態検出手段と、この運転状態検出手段の出力信号に応じ、前記第１の２方弁の開閉を制御する第１の２方弁制御手段を備えた空気調和装置である。
【００１２】
この技術的手段によれば、装置のエネルギー効率と装置の信頼性の向上を図ることができる。
【００１３】
【発明の実施の形態】
本発明の第１実施形態における冷凍装置は、環状に配管して冷凍サイクルを構成し、かつ外周に空間を形成した圧縮機、凝縮器、絞り装置、蒸発器と、空調負荷の状態を検出する運転状態検出手段と、この運転状態検出手段からの出力信号に応じ、前記空間に冷媒を溜め圧縮機の放熱促進および圧縮機の放熱を抑制するように制御する制御手段を備えたものである。
【００１４】
上記第１実施形態において、制御手段は運転状態検出手段からの出力信号に応じ、圧縮機の放熱促進が行えるように、そして圧縮機の放熱を抑制するようにそれぞれ圧縮機の空間に冷媒を溜める制御を行う。
【００１５】
本発明の第２実施形態における冷凍装置は、環状に配管して冷凍サイクルを構成し、かつ外周に冷媒溜めの空間を形成した圧縮機、凝縮器、絞り装置、蒸発器と、運転状態検出手段と、前記圧縮機の空間を前記圧縮機の吐出配管に接続する第１の２方弁と、前記圧縮機の空間を前記圧縮機の吸入配管に接続する第２の２方弁と、前記運転状態検出手段の出力信号に応じ、前記第１の２方弁の開閉を制御する第１の２方弁制御手段および前記第２の２方弁の開閉を制御する第２の２方弁制御手段を備えたものである。
【００１６】
上記第２実施形態において、圧縮機からの放熱を促進する場合、第１の２方弁制御手段は第１の２方弁の開閉を制御して圧縮機の空間を圧縮機の吐出配管に第１の２方弁を介して接続し、圧縮機の空間に液冷媒が溜まるように制御する。また圧縮機からの放熱を抑制する場合、第２の２方弁制御手段は第２の２方弁の開閉を制御して圧縮機の空間を圧縮機の吸入配管に第２の２方弁を介して接続し、圧縮機の空間にガス冷媒が溜まるように制御する。一般に液冷媒の熱伝導率はガス冷媒の熱伝導率に比べ８倍以上も高く、空気の熱伝導率と比べても、４倍も高い。従って、圧縮機の空間に液冷媒が溜まると、圧縮機からより放熱しやすくなる。
【００１７】
また、ガス冷媒の熱伝導率は、空気の熱伝導率と比べても約１／２である。従って、圧縮機の空間にガス冷媒が溜まると、圧縮機から放熱しにくくなる。
【００１８】
本発明の第３実施形態は、環状に配管して冷凍サイクルを構成し、かつ外周に冷媒溜めの空間を形成した圧縮機、凝縮器、絞り装置、蒸発器と、運転状態検出手段と、前記圧縮機の空間を前記凝縮器と前記絞り装置の間の配管に接続する第１の２方弁と、前記圧縮機の空間を前記圧縮機の吸入配管に接続する第２の２方弁と、前記運転状態検出手段の出力信号に応じ、前記第１の２方弁の開閉を制御する第１の２方弁制御手段および前記第２の２方弁の開閉を制御する第２の２方弁制御手段を備えたものである。
【００１９】
上記第３実施形態において、圧縮機からの放熱を促進する場合、第１の２方弁制御手段は第１の２方弁の開閉を制御して圧縮機の空間を前記圧縮機の吸入配管に第１の２方弁を介して接続し、圧縮機の空間に液冷媒が溜まるように制御する
。また圧縮機からの放熱を抑制する場合、第２の２方弁制御手段は第２の２方弁の開閉を制御して圧縮機の空間を前記圧縮機の吸入配管に第２の２方弁を介して接続し、圧縮機の空間にガス冷媒が溜まるように制御する。
【００２０】
本発明の第４実施形態は、第１実施形態〜第３実施形態のいずれかの実施形態において
、絞り装置をキャピラリ−チュ−ブで形成し、このキャピラリ−チュ−ブに第３の２方弁を直列に接続するとともに、前記第３の２方弁の開閉を制御する第３の２方弁制御手段を設けたものである。
【００２１】
上記第４実施形態において、圧縮機からの放熱を抑制する場合、第３の２方弁制御手段は第３の２方弁の開閉を制御して閉じるので、ガス冷媒の溜まっている圧縮機の空間を大気圧以下になるように制御することになり、ガス冷媒の熱伝導率は更に低下することになる。
【００２２】
本発明の第５実施形態は、第１実施形態〜第３実施形態のいずれかの実施形態において、絞り装置を全閉可能な膨張弁で形成するとともに、前記膨張弁の開度を制御する膨張弁開度制御手段を設けたものである。
【００２３】
上記第５実施形態おいて、圧縮機からの放熱を抑制する場合、膨張弁開度制御手段は膨張弁を全閉してガス冷媒の溜まっている圧縮機の空間を大気圧以下になるように制御するとともに、冷凍負荷に応じた絞りを設定できる。
【００２４】
本発明の第６実施形態は、第１実施形態〜第５実施形態のいずれかの実施形態において、圧縮機の空間を形成する外郭を凝縮器の非加熱媒体の流路に面するようにしたものである。
【００２５】
上記第６実施形態において、圧縮機からの放熱を促進する場合、圧縮機の外郭が凝縮器の流路を流れる非加熱媒体に接するので、放熱を更に促進することが可能になる。
【００２６】
本発明の第７実施形態は、環状に配管して冷凍サイクルを構成し、かつ外周に冷媒溜めの空間を形成した圧縮機、４方弁、室外熱交換器、絞り装置、室内熱交換器と、前記圧縮機の空間を前記４方弁と前記室外熱交換器の間の配管に接続する第１の２方弁と、運転状態検出手段と、この運転状態検出手段の出力信号に応じ、前記第１の２方弁の開閉を制御する第１の２方弁制御手段を備えた空気調和装置である。
【００２７】
上記第７実施形態において、冷房運転等で圧縮機からの放熱を促進する場合、第１の２方弁制御手段は第１の２方弁の開閉を制御して圧縮機の空間を４方弁と室外熱交換器の間の配管に第１の２方弁を介して接続し、圧縮機の空間に液冷媒が溜まるように制御する。また、暖房運転等で圧縮機からの放熱を抑制する場合、圧縮機の空間にガス冷媒が溜まるように制御するものである。また、ガス冷媒が圧縮機の空間に溜まると、圧縮機から放熱しにくくなる。更に、暖房時に圧縮機からの放熱を抑制するため、暖房能力を増加させる。
【００２８】
本発明の第８実施形態は、環状に配管して冷凍サイクルを構成し、かつ外周に冷媒溜めの空間を形成した圧縮機、４方弁、室外熱交換器、絞り装置、室内熱交換器と、前記圧縮機の空間を前記室外熱交換器と前記絞り装置の間の配管に接続する第１の２方弁と、運転状態検出手段と、この運転状態検出手段の出力信号に応じ、前記第１の２方弁の開閉を制御する第１の２方弁制御手段を備えたものである。
【００２９】
上記第８実施形態において、冷房運転等で圧縮機からの放熱を促進する場合、第１の２方弁制御手段は第１の２方弁の開閉を制御して圧縮機の空間を室外熱交換器と絞り装置の間の配管に第１の２方弁を介して接続し、圧縮機の空間に液冷媒が溜まるように制御するものである。
【００３０】
本発明の第９実施形態は、環状に配管して冷凍サイクルを構成し、かつ外周に冷媒溜め
の空間を形成した圧縮機、４方弁、室外熱交換器、絞り装置、室内熱交換器と、前記圧縮機の空間を前記４方弁と前記室外熱交換器の間の配管に接続する第１の２方弁と、前記圧縮機の空間を前記４方弁と前記室内熱交換器の間の配管に接続する第２の２方弁と、運転状態検出手段と、前記運転状態検出手段の出力信号に応じ、前記第１の２方弁の開閉を制御する第１の２方弁制御手段および第２の２方弁の開閉を制御する第２の２方弁制御手段を備えたものである。
【００３１】
上記第９実施形態において、圧縮機からの放熱を促進する場合、第１の２方弁制御手段は第１の２方弁の開閉を制御して圧縮機の空間を４方弁と室内熱交換器の間の配管に第１の２方弁を介して接続し、圧縮機の空間に液冷媒を溜めることができる。また圧縮機からの放熱を抑制する場合、第２の２方弁制御手段は第２の２方弁の開閉を制御して圧縮機の空間を４方弁と室内熱交換器の間の配管に第２の２方弁を介して接続し、圧縮機の空間にガス冷媒を溜めることができる。
【００３２】
本発明の第１０実施形態は、環状に配管して冷凍サイクルを構成し、かつ外周に冷媒溜めの空間を形成した圧縮機、４方弁、室外熱交換器、絞り装置、室内熱交換器と、前記圧縮機の空間を前記室外熱交換器と前記絞り装置の間の配管に接続する第１の２方弁と、前記圧縮機の空間を前記室内熱交換器と前記４方弁の間の配管に接続する第２の２方弁と、運転状態検出手段と、前記運転状態検出手段の出力信号に応じ、前記第１の２方弁の開閉を制御する第１の２方弁制御手段および前記第２の２方弁の開閉を制御する第２の２方弁制御手段を備えた空気調和装置である。
【００３３】
上記第１０実施形態において、圧縮機からの放熱を促進する場合、第１の２方弁制御手段は第１の２方弁の開閉を制御して圧縮機の空間を室外熱交換器と絞り装置の間の配管に第１の２方弁を介して接続し、圧縮機の空間に液冷媒を溜めることができる。また圧縮機からの放熱を抑制する場合、第２の２方弁制御手段は第２の２方弁の開閉を制御して圧縮機の空間を室内熱交換器と４方弁の間の配管に第２の２方弁を介して接続し、圧縮機の空間にガス冷媒を溜めることができる。
【００３４】
本発明の第１１実施形態は、環状に配管して冷凍サイクルを構成する、外周に冷媒溜めの空間を形成した圧縮機、４方弁、室外熱交換器、絞り装置、室内熱交換器と、前記圧縮機の空間を前記圧縮機の吐出配管に接続する第１の２方弁と、前記圧縮機の空間を前記圧縮機の吸入配管に接続する第２の２方弁と、運転状態検出手段と、前記運転状態検出手段の出力信号に応じ、前記第１の２方弁の開閉を制御する第１の２方弁制御手段および前記第２の２方弁の開閉を制御する第２の２方弁制御手段を備えた空気調和装置である。
【００３５】
上記第１１実施形態において、圧縮機からの放熱を促進する場合、第１の２方弁制御手段は第１の２方弁の開閉を制御して圧縮機の空間を圧縮機の吐出配管に第１の２方弁を介して接続し、圧縮機の空間に液冷媒を溜めることができる。また圧縮機からの放熱を抑制する場合、第２の２方弁制御手段は第２の２方弁の開閉を制御して圧縮機の空間を圧縮機の吸入配管に第２の２方弁を介して接続し、圧縮機の空間にガス冷媒を溜めることができる。
【００３６】
本発明の第１２実施形態は、第7実施形態〜第１１実施形態のいずれかの実施形態において、絞り装置をキャピラリチューブで形成し、前記キャピラリチューブに第３の２方弁を直列に接続するとともに、前記第３の２方弁の開閉を制御する第３の２方弁制御手段を設けたものである。
【００３７】
上記第１２実施形態おいて、圧縮機からの放熱を抑制する場合、第３の２方弁制御手段は第３の２方弁の開閉を制御して閉じることにより、ガス冷媒の溜まっている圧縮機の空間を大気圧以下になるように制御するとともに、熱伝導率は更に低下し、圧縮機からの放熱をより抑制することができる。また、暖房時に圧縮機からの放熱を抑制するため、暖房能力を増加させる。
【００３８】
本発明の第１３実施形態は、第７実施形態〜第１１実施形態のいずれかの実施形態において、絞り装置を全閉可能な膨張弁で形成するとともに、前記膨張弁の開度を制御する膨張弁開度制御手段を設けたものである。
【００３９】
上記第１３実施形態において、圧縮機からの放熱を抑制する場合、膨張弁開度制御手段は膨張弁を全閉してガス冷媒の溜まっている圧縮機の空間を大気圧以下になるように制御できるとともに、冷房負荷や暖房負荷に応じた絞りを設定できる。
【００４０】
本発明の第１4実施形態は、第７実施形態〜第１３実施形態のいずれかの実施形態において、空間を形成する圧縮機の外郭を室外熱交換器の非加熱媒体の流路に面するようにしたものである。
【００４１】
上記第１4実施形態おいて、圧縮機の外郭が室外熱交換器の流路を流れる非加熱媒体に接するため、放熱を更に促進することが可能になる。
【００４２】
本発明の第１５実施形態は、第１実施形態〜第１４実施形態のいずれかの実施形態において、空間を形成する圧縮機の外郭を室外熱交換器の非加熱媒体の流路に面するようにせしめ、かつ前記外郭に放熱用フィンを設けたものである。
【００４３】
上記第１５実施形態において、圧縮機の外郭に設けた放熱用フィンは室外熱交換器の流路を流れる非加熱媒体に接して放熱を更に促進することが可能になる。
【００４４】
本発明の第１６実施形態は、空調負荷の状態を検出する運転状態検出手段が検出した出力信号に応じ、圧縮機からの放熱を促進する場合は前記圧縮機の空間に液冷媒が溜まるように制御し、前記圧縮機からの放熱を抑制する場合は前記圧縮機の空間にガス冷媒が溜まるように制御する方法である。
【００４５】
上記第１６実施形態において、圧縮機の空間に液冷媒が溜まると、液冷媒はその熱伝導率により圧縮機の放熱を促進させる。従って、凝縮圧力を低下させる。また、圧縮機の空間にガス冷媒が溜まると、ガス冷媒は圧縮機からの放熱を抑制する。
【００４６】
本発明の第１７実施形態は、空調負荷の状態を検出する運転状態検出手段が検出した出力信号に応じ、圧縮機からの放熱を促進する場合は前記圧縮機の空間に液冷媒が溜まるように制御し、前記圧縮機からの放熱を抑制する場合は前記圧縮機の空間に大気圧以下のガス冷媒が溜まるように制御する方法である。
【００４７】
上記第１７実施形態において、圧縮機の空間に溜まったガス冷媒は大気圧以下の状況下であるため圧縮機外郭の熱伝導率は更に低下し、圧縮機からの放熱をより抑制する。
【００４８】
【実施例】
以下、本発明の実施例について図面を参考に説明する。
【００４９】
（実施例１）
図１は、本発明冷凍装置の実施例１における冷凍サイクル図で、図２は同冷凍装置の本体の要部切欠の斜視図である。１は外郭を２重構造にして外周に冷媒溜めの空間８を形成した圧縮機、２は凝縮器、３は第３の２方弁、４は絞り装置としてのキャピラリチューブ、５は蒸発器で、順次環状に配管接続して冷凍サイクルを構成する。そして、圧縮機１の空間８は外側外郭６と内側外郭７で形成され、圧縮機１の吐出配管９に第１の２方弁１０を介して接続し、また、吸入配管１１に第２の２方弁１２を介し接続して冷凍サイクルを構成している。１３は凝縮器２を非加熱媒体としての空気で冷却する凝縮器送風機で、点線で示す流路１４に面して配置した圧縮機１を冷却する作用も有する。１５は圧縮機１の外側外郭６に形成した放熱用フィンで、流路１４に面している。１６は運転状態検出手段で、冷凍負荷の状態を検出して、第１の２方弁制御手段１７、第２の２方弁制御手段１８および第３の２方弁制御手段１９に信号を出力する。そして、第１の２方弁制御手段１７、第２の２方弁制御手段１８および第３の２方弁制御手段１９は、運転状態検出手段１６からの出力信号に応じて、第１の２方弁１０、第２の２方弁１２および第３の２方弁３の開閉を制御するものである。すなわち、運転状態検出手段１６からの出力信号に応じ、前記空間８に冷媒を溜め圧縮機１の放熱促進および圧縮機１の放熱を抑制するように制御する制御手段としての第１の２方弁制御手段１７、第２の２方弁制御手段１８および第３の２方弁制御手段１９である。つまり、冷凍負荷の大きい状態を検出した運転状態検出手段１６は、圧縮機１の放熱促進をする信号を出力すると、第１の２方弁制御手段１７は、前記信号に応じて第１の２方弁１０を開き、一定時間後に閉じ、一方、前記信号を受けた第２の２方弁制御手段１８は第２の２方弁１２を閉じ、同じく第３の２方弁制御手段１９は第３の２方弁３を閉じ、一定時間後に開くものである。また、冷凍負荷の小さい状態を検出した運転状態検出手段１６は、圧縮機１の放熱を抑制する信号を出力すると、第１の２方弁制御手段１７は、前記信号に応じて第１の２方弁１０を閉じ、一方、前記信号を受けた第２の２方弁制御手段１８は第２の２方弁１２を開き一定時間後に閉じ、同じく第３の２方弁制御手段１９は第３の２方弁３を閉じ、そして一定時間後に開くのである。３０は運転状態検出手段１６、第１の２方弁制御手段１７、第２の２方弁制御手段１８、第３の２方弁制御手段１９を構成するワンチップのマイクロコンピュ−タである。
【００５０】
上記実施例１において、冷凍装置が運転開始した時、凝縮器２周囲の温度が低い場合や、冷凍負荷が小さい場合、これを検出した運転状態検出手段１６により圧縮機１からの放熱を抑制する運転モードが選択されると、この選択信号を受けた第１の２方弁制御手段１７は第１の２方弁１０を閉じ、第２の２方弁制御手段１８は第２の２方弁１２を開くものである。その結果、圧縮機１の空間８は圧縮機１の吸入配管１１と連通するため、前記配管内と同低圧となって圧縮機１の空間８には低圧のガス冷媒が溜まる。その結果、前記ガス冷媒の作用で圧縮機１の表面から放熱しにくくなり、圧縮機１の吐出温度が早く上昇し、圧縮機１内での冷媒の凝縮が防止され、冷凍装置の信頼性を向上させることができる。
【００５１】
更に、第３の２方弁制御手段１９はキャピラリチューブ４と直列に接続された第３の２方弁３を閉じるので、圧縮機１は第３の２方弁３から下流側の冷媒を吸入するため、上記低圧はどんどん低下し大気圧以下になり、圧縮機１の空間８は圧縮機１の吸入配管１１と連通しているため、圧縮機１の空間８の圧力は大気圧以下となる。その後、第２の２方弁制御手段１８は第２の２方弁１２を閉じ、第３の２方弁制御手段１９は第３の２方弁３を開成する。従って、圧縮機１の空間８の圧力は大気圧以下の状態に保たれ、冷凍装置は通常の運転に戻る。そして、空間８内のガス冷媒の熱伝導率は更に低下し、圧縮機１表面からの放熱をより抑制することができ、冷凍装置の信頼性を、更に向上させることができる。
【００５２】
また、凝縮器２周囲の温度が高い場合や、冷凍負荷が大きい場合、これを検出した運転状態検出手段１６により圧縮機１からの放熱を促進する運転モードが選択されると、この選択信号を受けた第１の２方弁制御手段１７は第１の２方弁１０を開き、第２の２方弁制御手段１８は第２の２方弁１２を閉じ、第３の２方弁制御手段１９は第３の２方弁３を閉じる。その結果、圧縮機１の空間８は圧縮機１の吐出配管９に連通するため高圧となり、第３の２方弁３は閉じられるため、圧縮機１の空間８には高圧の冷媒が流れ込む。そして、圧縮機１の外側外郭６は凝縮器送風機１３から送られる空気の流路１４に面し、かつ放熱用フィン１５を設けているため冷却され、圧縮機１の空間８の高圧冷媒は凝縮し液冷媒が溜まる。そして、一定時間後に第１の２方弁制御手段１７は第１の２方弁１０を閉じ、第３の２方弁制御手段１９は第３の２方弁３を開成すると、圧縮機１の空間８には液冷媒が溜まった状態に保たれ、冷凍装置は通常の運転に戻る。その結果、空間８の液冷媒を介して圧縮機１表面から放熱しやすくなり、凝縮圧力を低下させることができるためエネルギー効率が高くなる。更に、冷凍負荷が高い場合でも圧縮機１の吐出圧力や吐出温度の上昇を防ぎ、冷凍装置の信頼性を向上させることができる。
【００５３】
また冷凍運転中において、運転サーモスタットがオフしても、第１の２方弁１０、第２の２方弁１２、第３の２方弁３の開閉状態はそのまま保たれ、圧縮機１の空間８内の冷媒状態もそのままの状態に保たれる。
【００５４】
なお、上記実施例１では凝縮器２の非加熱流体を空気としているが、非加熱流体を水などの液体とし、流体と圧縮機１の外郭を接するように構成し熱交換させるようにしても、同様な効果を奏する。また、運転状態検出手段１６は、凝縮器２周囲の温度を検出して冷凍負荷の状態を判断しているが、これに限定されるものではなく、同じ目的、作用効果が得られるのであれば他の構成でもよい。
【００５５】
（実施例２）
図３は本発明の実施例２における冷凍装置の冷凍サイクル図である。この実施例２の発明は、圧縮機の空間を凝縮器とキャピラリチューブの間の配管に第１の２方弁を介して接続した点以外は実施例１の発明と同じなので、同一構成、作用効果を奏する部分には図１と同一符号を付して詳細な説明を省略し、異なる部分を中心に説明する。
【００５６】
図３において図１の実施例１と異なるのは、圧縮機１の空間８を、凝縮器２とキャピラリチューブ４の間の配管２０に第１の２方弁１０を介して接続したものである。
【００５７】
上記実施例２において、冷凍装置の動作、作用効果も図１の実施例１と同じである。そして、運転状態検出手段１６により圧縮機１からの放熱を促進する運転モードが選択されると、この選択信号を受けた第１の２方弁制御手段１７は第１の２方弁１０を開き、圧縮機１の空間８は凝縮器２とキャピラリチューブ４の間の配管２０に連通し、第３の２方弁３は第３の２方弁制御手段１９により閉じられるため、圧縮機１の空間８には凝縮器２で液化された高圧の液冷媒が流れ込み、容易に液冷媒が溜まる。そして、一定時間後に第１の２方弁制御手段１７は第１の２方弁１０を閉じ、第３の２方弁制御手段１９は第３の２方弁３を開成すると、圧縮機１の空間８には液冷媒が溜まった状態に保たれ、冷凍装置は通常の運転に戻る。その結果、空間８の液冷媒を介して圧縮機１表面から放熱しやすくなり、凝縮圧力を低下させることができるためエネルギー効率が高くなる。更に、冷凍負荷が高い場合でも圧縮機１の吐出圧力や吐出温度の上昇を防ぎ、冷凍装置の信頼性を向上させることができる。
【００５８】
また冷凍運転中において、運転サーモスタットがオフしても、第１の２方弁１０、第２の２方弁１２、第３の２方弁３の開閉状態はそのまま保たれ、圧縮機１の空間８内の冷媒状態もそのままの状態に保たれる。
【００５９】
なお、上記実施例２では凝縮器２の非加熱流体を空気としているが、非加熱流体を水などの液体とし、流体と圧縮機１の外郭を接するように構成し熱交換させるようにしても、同様な効果を奏する。また、運転状態検出手段１６は、凝縮器２周囲の温度を検出して冷凍負荷の状態を判断しているが、これに限定されるものではなく、同じ目的、作用効果が得られるのであれば他の構成でもよい。
【００６０】
（実施例３）
図４は本発明の実施例３における冷凍装置の冷凍サイクル図である。この実施例３の発明は、絞り装置に全閉可能な膨張弁を用い、この膨張弁の開度を制御する膨張弁開度制御手段を設け、第３の２方弁と第３の２方弁制御手段を除いた点以外は実施例１の発明と同じなので、同一構成、作用効果を奏する部分には図１と同一符号を付して詳細な説明を省略し、異なる部分を中心に説明する。
【００６１】
図４において図１の実施例１と異なるのは、絞り装置に全閉可能な膨張弁２１を用い、更に膨張弁２１の開度を制御する膨張弁開度制御手段２２を設けたものである。図１の第３の２方弁３と第３の２方弁制御手段１９は除いてある。そして、冷凍負荷の大きい状態を検出した運転状態検出手段１６は、圧縮機１の放熱
促進をする信号を出力すると、第１の２方弁制御手段１７は、前記信号に応じて第１の２方弁１０を開き、一定時間後に閉じ、一方、前記信号を受けた第２の２方弁制御手段１８は第２の２方弁１２を閉じ、同じく膨張弁開度制御手段２２は膨張弁２１を閉じ、一定時間後に開くものである。また、冷凍負荷の小さい状態を検出した運転状態検出手段１６は、圧縮機１の放熱を抑制する信号を出力すると、第１の２方弁制御手段１７は前記信号に応じて第１の２方弁１０を閉じ、一方、前記信号を受けた第２の２方弁制御手段１８は第２の２方弁１２を開き一定時間後に閉じ、同じく膨張弁開度制御手段２２は膨張弁２１を閉じ、そして一定時間後に開くのである。３０は運転状態検出手段１６、第１の２方弁制御手段１７、第２の２方弁制御手段１８、膨張弁開度制御手段２２を構成するワンチップのマイクロコンピュ−タである。
【００６２】
上記実施例３において、冷凍装置の動作、作用効果も図１の実施例１と同じである。そして、冷凍装置が運転開始した時、凝縮器２周囲の温度が低い場合や、冷凍負荷が小さい場合、運転状態検出手段１６により圧縮機１からの放熱を抑制する運転モードが選択されると、この選択信号を受けた第１の２方弁制御手段１７は第１の２方弁１０を閉じ、第２の２方弁制御手段１８は第２の２方弁１２を開成する。その結果、圧縮機１の空間８は圧縮機１の吸入配管１１に連通するため、前記配管と同低圧となり、圧縮機１の空間８には低圧のガス冷媒が溜まる。従って、空間８のガス冷媒の作用により、圧縮機１の表面から放熱しにくくなり、圧縮機１の吐出温度が早く上昇し、圧縮機１内での冷媒の凝縮を防ぎ、冷凍装置の信頼性を向上させることができる。
【００６３】
更に、膨張弁開度制御手段２２は膨張弁２１を全閉すると、圧縮機１は膨張弁２１から下流側の冷媒を吸入するため、低圧はどんどん低下し大気圧以下になり、圧縮機１の空間８は圧縮機１の吸入配管１１と連通しているため、圧縮機１の空間８の圧力は大気圧以下になる。その後、第２の２方弁制御手段１８により第２の２方弁１２は閉じられ、そして、膨張弁開度制御手段２２により膨張弁２１は適度に開かれると、圧縮機１の空間８の圧力は大気圧以下の状態に保たれ、冷凍装置は通常の運転に戻る。その結果、空間８のガス冷媒の熱伝導率は更に低下し、圧縮機１表面からの放熱をより抑制することができ、より簡単な構成で冷凍装置の信頼性を、更に向上させることができる。
【００６４】
また、凝縮器２周囲の温度が高い場合や、冷凍負荷が大きい場合、運転状態検出手段１６により圧縮機１からの放熱を促進する運転モードが選択されると、この選択信号を受けた第１の２方弁制御手段１７は第１の２方弁１０を開き、第２の２方弁制御手段１８は第２の２方弁１２を閉じ、膨張弁開度制御手段２２は膨張弁２１を閉じる。その結果、圧縮機１の空間８は圧縮機１の吐出配管９に連通するため高圧となり、膨張弁２１は閉じられているため、圧縮機１の空間８には高圧の冷媒が流れ込む。そして、圧縮機１の外側外郭６は凝縮器送風機１３から送られる空気の流路１４に面しており、また放熱用フィン１５を設けているため、圧縮機１の空間８の高圧冷媒は凝縮し液冷媒が溜まる。続いて、一定時間後に第１の２方弁制御手段１７は第１の２方弁１０を閉じ、膨張弁開度制御手段２２は膨張弁２１を適度に開成すると、圧縮機１の空間８には液冷媒が貯まった状態に保たれ、冷凍装置は通常の運転に戻る。従って、より簡単な構成で、液冷媒の作用により圧縮機１表面から放熱しやすくなり、凝縮圧力を低下させることができるためエネルギー効率が高くなる。更に、冷凍負荷が高い場合でも圧縮機１の吐出圧力や吐出温度の上昇を防ぎ、また、膨張弁２２により、冷凍負荷に応じた絞りを設定できるため、冷凍装置の信頼性を更に向上させることができる。
【００６５】
また冷凍運転中において、運転サーモスタットがオフしても、第１の２方弁１０、第２の２方弁１２、膨張弁２１の開閉状態はそのまま保たれ、圧縮機１の空間８内の冷媒状態もそのままの状態に保たれる。
【００６６】
なお、上記実施例３では凝縮器２の非加熱流体を空気としているが、非加熱流体を水などの液体とし、流体と圧縮機１の外郭を接するように構成し熱交換させるようにしても、同様な効果を奏する。また、運転状態検出手段１６は、凝縮器２周囲の温度を検出して冷凍負荷の状態を判断しているが、これに限定されるものではなく、同じ目的、作用効果が得られるのであれば他の構成でもよい。
【００６７】
（実施例４）
図５は本発明の実施例４における冷凍装置の冷凍サイクル図である。この実施例４の発明は、圧縮機の空間を、凝縮器と膨張弁の間の配管に第１の２方弁を介して接続した点以外は図４の実施例３の発明と同じなので、同一構成、作用効果を奏する部分には図４と同一符号を付して詳細な説明を省略し、異なる部分を中心に説明する。
【００６８】
図５において図４の実施例３と異なるのは圧縮機１の空間８を、凝縮器２と膨張弁２１の間の配管２０に第１の２方弁１０を介して接続したものである。
【００６９】
上記実施例４において、動作および作用効果は図４の実施例３と同じである。そして、冷凍装置が運転を開始し、運転状態検出手段１６により圧縮機１からの放熱を促進する運転モードが選択されると、この選択信号を受けた第１の２方弁制御手段１７は第１の２方弁１０を開き、圧縮機１の空間８を凝縮器２と膨張弁２１の間の配管２０に連通し、膨張弁開度制御手段２２は膨張弁２１を全閉するため、圧縮機１の空間８には凝縮器２で液化された高圧の液冷媒が流れ込み、容易に液冷媒が溜まる。そして、第１の２方弁制御手段１７により一定時間後に第１の２方弁１０が閉じられ、膨張弁開度制御手段２２により膨張弁２１は適度に開かれ、圧縮機１の空間８には液冷媒が溜まった状態に保たれ、冷凍装置は通常の運転に戻る。従って、液冷媒の作用により圧縮機１表面から放熱しやすくなり、凝縮圧力を低下させることができるためエネルギー効率が高くなる。更に、冷凍負荷が高い場合でも圧縮機１の吐出圧力や吐出温度の上昇を防ぎ、また、膨張弁２１は冷凍負荷に応じた絞りを設定できるため、冷凍装置の信頼性を更に向上させることができる。
【００７０】
また冷凍運転中において、運転サーモスタットがオフしても、第１の２方弁１０、第２の２方弁１２、膨張弁２１の開閉状態はそのまま保たれ、圧縮機１の空間８内の冷媒状態もそのままの状態に保たれる。
【００７１】
なお、上記実施例４では凝縮器２の非加熱流体を空気としているが、非加熱流体を水などの液体とし、流体と圧縮機１の外郭を接するように構成し熱交換させるようにしても、同様な効果を奏する。また、運転状態検出手段１６は、凝縮器２周囲の温度を検出して冷凍負荷の状態を判断しているが、これに限定されるものではなく、同じ目的、作用効果が得られるのであれば他の構成でもよい。
【００７２】
（実施例５）
図６は本発明の実施例５における空気調和装置の冷凍サイクル図で、図７は同装置の本体の要部切欠の斜視図である。この実施例５の発明は、本発明の冷凍装置を採用した空気調和装置に関するもので、実施例１の発明と同一構成、作用効果を奏する部分には図１と同一符号を付して詳細な説明を省略し、異なる部分を中心に説明する。
【００７３】
同図において、１は外郭を２重構造にして外周に冷媒溜めの空間８を形成した圧縮機、２３は冷凍サイクルにおける冷房と暖房の切り替えを行う４方弁、２４は室外熱交換器、３は第３の２方弁、４は絞り装置としてキャピラリチューブ、２５は室内熱交換器で、順次環状に配管接続して冷凍サイクルを構成する。そして、圧縮機１の空間８は、４方弁２３と室外熱交換器２４との間の配管２６に第１の２方弁１０を介して接続して冷凍サイクルを構成している。２７は室外熱交換器２４を非加熱媒体としての空気で冷却する室外熱交換器送風機で、点線で示す流路１4に面して配置した圧縮機１を冷却する作用も有する。そして、圧縮機１
の外側外郭６に形成した放熱用フィン１５は流路１4に面している。運転状態検出手段１６は、空調負荷の状態を検出して、第１の２方弁制御手段１７および第３の２方弁制御手段１９に信号を出力する。そして、第１の２方弁制御手段１７および第３の２方弁制御手段１９は、運転状態検出手段１６からの出力信号に応じて、第１の２方弁１０および第３の２方弁３の開閉を制御するものである。すなわち、運転状態検出手段１６からの出力信号に応じ、前記空間８に冷媒を溜め圧縮機１の放熱促進および圧縮機１の放熱を抑制するように制御する制御手段としての第１の２方弁制御手段１７および第３の２方弁制御手段１９である。すなわち、空調負荷の状態に応じて運転状態検出手段１６は、圧縮機１の放熱促進をす
る信号を出力すると、第１の２方弁制御手段１７は、前記信号に応じて圧縮機１の吐出側に通じるように第１の２方弁１０を開き、一定時間後に閉じ、一方、前記信号を受けた第３の２方弁制御手段１９は第３の２方弁３を閉じ、一定時間後に開くものである。また、冷凍負荷の状態に応じて運転状態検出手段１６は、圧縮機１の放熱を抑制する信号を出力すると、4方弁２３は室外熱交換器２４が蒸発器となるように冷凍サイクルを切り替え、また前記信号を受けた第１の２方弁制御手段１７は、前記信号に応じて圧縮機１の吸入側に通じるように第１の２方弁１０を開き一定時間後に閉じ、一方、前記信号を受けた第３の２方弁制御手段１９は第３の２方弁３を閉じ、そして一定時間後に開くのである。３０は運転状態検出手段１６、第１の２方弁制御手段１７、第３の２方弁制御手段１９を構成するワンチップのマイクロコンピュ−タである。
【００７４】
上記実施例５において、空気調和装置が運転開始した時、室外熱交換器２４周囲の温度が低い場合や、冷房負荷が小さい場合、運転状態検出手段１６により圧縮機１からの放熱を抑制する運転モードが選択されると、４方弁２３は室外熱交換器２４が蒸発器となるように切り替えられ、選択信号を受けた第１の２方弁制御手段１７は第１の２方弁１０を開成する。その結果、圧縮機１の空間８は圧縮機１の吸入配管１１に連通して配管と同低圧となり、低圧のガス冷媒が溜まる。その後、第１の２方弁制御手段１７により第１の２方弁１０は閉じられ、４方弁２３は室外熱交換器２４が凝縮器となるように冷凍サイクルを切り替える。従って、圧縮機１の空間８は低圧のガス冷媒が溜まった状態で冷房運転され、空間８のガス冷媒の作用により圧縮機１の表面から放熱しにくくなり、圧縮機１の吐出温度が早く上昇し、圧縮機１内での冷媒の凝縮を防ぎ、空気調和装置の信頼性を向上させることができる。
【００７５】
そして、上記した冷房運転の開始時に運転状態検出手段１６から上記信号を受けた第３の２方弁制御手段１９は第３の２方弁３を閉成するので、圧縮機１は第３の２方弁３から下流側の冷媒を吸入するため、低圧はどんどん低下し大気圧以下になり、圧縮機１の空間８の圧力も大気圧以下となる。その後、上記したように第１の２方弁制御手段１７により第１の２方弁１０は閉じられ、４方弁２３は室外熱交換器２４が凝縮器となるように切り替えられ、第３の２方弁制御手段１９により第３の２方弁３は開成して、圧縮機１の空間８の圧力は大気圧以下の状態に保たれ、空気調和装置は通常の冷房運転に戻る。従って、空間８のガス冷媒の熱伝導率は更に低下し、圧縮機１の表面からの放熱をより抑制することができ、空気調和装置の信頼性を更に向上させることができる。
【００７６】
また、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７は第１の２方弁１０を開き、第３の２方弁制御手段１９は第３の２方弁３を閉じる。その結果、圧縮機１の空間８は圧縮機１の吐出側の配管２６と連通するため高圧となり、第３の２方弁３は閉じられるため、圧縮機１の空間８には高圧の冷媒が流れ込む。そして、圧縮機１の外側外郭６は室外熱交換器送風機２７から送られる空気などの非加熱媒体の流路１４に面し、かつ放熱用フィン１５を設けているため冷却され、圧縮機１の空間８の高圧冷媒は凝縮し液冷媒が溜まる。そして、一定時間後に第１の２方弁制御手段１７により第１の２方弁１０は閉じられ、第３の２方弁制御手段１９により第３の２方弁３は開かれ、圧縮機１の空間８には液冷媒が溜まった状態に保たれ、空気調和装置は通常の運転に戻る。従って、空間８の液冷媒の作用により圧縮機１の表面から放熱しやすくなり、凝縮圧力を低下させることができるためエネルギー効率が高くなる。さらに、冷房負荷が高い場合でも圧縮機１の吐出圧力や吐出温度の上昇を防ぎ、空気調和装置の信頼性を向上させることができる。
【００７７】
また運転中において、運転サーモスタットがオフしても、第１の２方弁１０、第３の２方弁３の開閉状態はそのまま保たれ、圧縮機１の空間８内の冷媒状態もそのままの状態に保たれる。
【００７８】
次に暖房運転では、４方弁２３は室外熱交換器２４が蒸発器となるように切り替えられ、運転状態検出手段１６により圧縮機１からの放熱を抑制する運転モードが選択されると、この選択信号を受けた第１の２方弁制御手段１７は第１の２方弁１０を開成する。その結果、圧縮機１の空間８は吸入配管１１と同低圧となり、低圧のガス冷媒が溜まる。その後、第１の２方弁制御手段１７により第１の２方弁１０は閉じられ、通常の暖房運転を行う。従って、圧縮機１の空間８は低圧のガス冷媒が溜まった状態で暖房運転され、圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【００７９】
また、上記した暖房運転時に第３の２方弁制御手段１９によりキャピラリチューブ４と直列に接続された第３の２方弁３は閉められるので、圧縮機１は第３の２方弁３から下流側の冷媒を吸入するため、配管内の低圧はどんどん低下し大気圧以下になり、圧縮機１の空間８の圧力も大気圧以下となる。その後、第１の２方弁制御手段１７により第１の２方弁１０は閉じられ、第３の２方弁制御手段１９により第３の２方弁３は開かれ、圧縮機１の空間８の圧力は大気圧以下の状態に保たれ、空気調和装置は通常の暖房運転を行う。従って、空間８のガス冷媒の熱伝導率は更に低下し、圧縮機１の表面からの放熱をより抑制することができ、暖房能力をより増加させエネルギー効率を向上させることができ、空気調和装置の信頼性も、更に向上させることができる。
【００８０】
また、室外熱交換器２４周囲の温度が高い場合など過負荷状態で高圧や吐出温度が上昇する場合、運転状態検出手段１６により圧縮機１から放熱を促進する運転モードが選択されると、４方弁２３は室外熱交換器２４が凝縮器となるように冷凍サイクルを切り替え、前記選択信号を受けた第１の２方弁制御手段１７により第１の２方弁１０は開かれ、第３の２方弁制御手段１９により第３の２方弁３は閉じられる。そして、圧縮機１の空間８は圧縮機１の吐出側の配管２６と連通するため高圧となり、第３の２方弁３は閉じられるため、圧縮機１の空間８には高圧の冷媒が流れ込む。また圧縮機１の外側外郭６は室外熱交換器送風機２７から送られる空気などの非加熱媒体の流路１４に面し、かつ放熱用フィン１５を設けているため冷却され、圧縮機１の空間８の高圧冷媒は凝縮し液冷媒が溜まる。そして、一定時間後、第１の２方弁制御手段１７により第１の２方弁１０は閉じ、第３の２方弁制御手段１９により第３の２方弁３は開かれ、４方弁２３は室外熱交換器２４が蒸発器となるように冷凍サイクルを切り替え、圧縮機１の空間８には液冷媒が溜まった状態に保たれ、空気調和装置は通常の暖房運転に戻る。従って、空間８の液冷媒の作用により圧縮機１表面から放熱しやすくなり、凝縮圧力を低下させることができるため、圧縮機１の吐出圧力や吐出温度の上昇を防ぎ、空気調和装置の信頼性を向上させることができる。
【００８１】
なお、上記実施例１では凝縮器２の非加熱流体を空気としているが、非加熱流体を水などの液体とし、流体と圧縮機１の外郭を接するように構成し熱交換させるようにしても、同様な効果を奏する。また、運転状態検出手段１６は、凝縮器２周囲の温度を検出して冷凍負荷の状態を判断しているが、これに限定されるものではなく、同じ目的、作用効果が得られるのであれば他の構成でもよい。
【００８２】
（実施例６）
図８は本発明の実施例６における空気調和装置の冷凍サイクル図である。この発明は、圧縮機の空間を室外熱交換器と第３の２方弁の間の配管に第１の２方弁を介して接続した点以外は実施例５の発明と同じなので、同一構成、作用効果を奏する部分には図６と同一符号を付して詳細な説明を省略し、異なる部分を中心に説明する。
【００８３】
図８において図６の実施例５と異なるのは、圧縮機１の空間８を、室外熱交換器２４と第３の２方弁３の間の配管２８に第１の２方弁１０を介して接続したものである。
【００８４】
上記実施例６において、空気調和装置の動作、作用効果も図６に示す実施例５と同じである。そして、冷房運転時、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、第３の２方弁制御手段１９により第３の２方弁３は閉じられる。その結果、圧縮機１の空間８は室外熱交換器２４と第３の２方弁３の間の配管２８に連通し、第３の２方弁３は閉じられているため、圧縮機１の空間８には凝縮器２で液化された高圧の液冷媒が流れ込み、容易に液冷媒が溜まる。そして、その後に第１の２方弁制御手段１７により第１の２方弁１０は閉じられ、第３の２方弁制御手段１９により第３の２方弁３は開かれると、圧縮機１の空間８には液冷媒が溜まった状態に保たれ、空気調和装置は通常の冷房運転に戻る。従って、空間８の液冷媒の作用により圧縮機１の表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【００８５】
また、室外熱交換器２４周囲の温度が高い場合など過負荷状態で高圧や吐出温度が上昇するような暖房運転時に運転状態検出手段１６により圧縮機１からの放熱を促進する運転モードが選択されると、４方弁２３は室外熱交換器２４が凝縮器となるように冷凍サイクルを切り替え、前記運転状態検出手段１６の信号を受けた第１の２方弁制御手段１７により第１の２方弁１０は開かれ、第３の２方弁制御手段１９により第３の２方弁３は閉じられる。その結果、圧縮機１の空間８は室外熱交換器２４と第３の２方弁３の間の配管２８と連通し、第３の２方弁３は閉じられているため、圧縮機１の空間８には凝縮器２で液化された高圧の液冷媒が流れ込み、容易に液冷媒が溜まる。そして、その後に第１の２方弁制御手段１７は第１の２方弁１０を閉じ、第３の２方弁制御手段１９は第３の２方弁３を開成し、４方弁２３は室外熱交換器２４が蒸発器となるように冷凍サイクルを切り替え、圧縮機１の空間８には液冷媒が溜まった状態に保たれ、空気調和装置は通常の暖房運転に戻る。従って、空間８の液冷媒の作用により圧縮機１の表面から放熱しやすくなり、凝縮圧力を低下させることができるためエネルギー効率が高くなる。更に、圧縮機１の吐出圧力や吐出温度の上昇を防ぎ、空気調和装置の信頼性を向上させることができる。
【００８６】
（実施例７）
図９は本発明の実施例７における空気調和装置の冷凍サイクル図である。この発明は、圧縮機の空間を室内熱交換器と４方弁の間の配管に第２の２方弁を介して接続した点以外は図６の実施例５の発明と同じなので、同一構成、作用効果を奏する部分には図６と同一符号を付して詳細な説明を省略し、異なる部分を中心に説明する。
【００８７】
図９において図６の実施例５と異なるのは、室外熱交換器２４と４方弁２３の間の配管２６に第１の２方弁１０を介して接続した圧縮機１の空間８を、更に室内熱交換器２５と４方弁２３の間の配管２９に第２の２方弁１２を介して接続したものである。そして、第１の２方弁制御手段１７、第２の２方弁制御手段１８および第３の２方弁制御手段１９は、運転状態検出手段１６からの出力信号に応じて、第１の２方弁１０、第２の２方弁１２および第３の２方弁３の開閉を制御するものである。すなわち、空調負荷の状態に応じて運転状態検出手段１６は、冷房運転で、かつ圧縮機１の放熱促進をする信号を出力する、または暖房運転で、かつ圧縮機１の放熱を抑制する信号を出力すると、前記信号に応じて第１の２方弁制御手段１７は第１の２方弁１０を開き、一定時間後に閉じ、一方、前記信号を受けた第２の２方弁制御手段１８は第２の２方弁１２を閉じ、同じく第３の２方弁制御手段１９は第３の２方弁３を閉じ、一定時間後に開くものである。また、空調負荷の状態に応じて運転状態検出手段１６は、冷房運転で、かつ圧縮機１の放熱を抑制する信号を出力する、または暖房運転で、かつ圧縮機１の放熱を促進する信号を出力すると、前記信号に応じて第１の２方弁制御手段１７は第１の２方弁１０を閉じ、一方、前記信号を受けた第２の２方弁制御手段１８は第２の２方弁１２を開き一定時間後に閉じ、同じく第３の２方弁制御手段１９は第３の２方弁３を閉じ、そして一定時間後に開くのである。３０は運転状態検出手段１６、第１の２方弁制御手段１７、第２の２方弁制御手段１８、第３の２方弁制御手段１９を構成するワンチップのマイクロコンピュ−タである。
【００８８】
上記実施例７において、空気調和装置が冷房運転開始した時、室外熱交換器２４周囲の温度が低い場合や、冷房負荷が小さい場合、運転状態検出手段１６により圧縮機１からの放熱を抑制する運転モードが選択されると、この選択信号を受けた第２の２方弁制御手段１８は第２の２方弁１２を開成し、第１の２方弁制御手段１７により第１の２方弁１０を閉成する。その結果、圧縮機１の空間８は配管２９と同低圧となり、低圧のガス冷媒が溜まる。その後、第２の２方弁制御手段１８により第２の２方弁１２は閉じられる。その結果、圧縮機１の空間８は低圧のガス冷媒が溜まった状態で冷房運転され、前記ガス冷媒の作用により圧縮機１の表面から放熱しにくくなり、圧縮機１の吐出温度が早く上昇し、圧縮機１内での冷媒の凝縮を防ぎ、空気調和装置の信頼性を向上させることができる。
【００８９】
また、上記した冷房運転の開始時に第３の２方弁制御手段１９により第３の２方弁３が閉められると、圧縮機１は第３の２方弁３から下流側の冷媒を吸入するため、上記した低圧はどんどん低下し大気圧以下になり、圧縮機１の空間８の圧力も大気圧以下となる。その後、上記したように第２の２方弁制御手段１８により第２の２方弁１２が閉じられ、第３の２方弁制御手段１９により第３の２方弁３が開かれると、圧縮機１の空間８の圧力は大気圧以下の状態に保たれ、空気調和装置は通常の冷房運転に戻る。従って、ガス冷媒の熱伝導率は大気圧以下のために更に低下し、圧縮機表面からの放熱をより抑制することができ、空気調和装置の信頼性を、更に向上させることができる。
【００９０】
また、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、第３の２方弁制御手段１９により第３の２方弁３は閉じられ、そして第２の２方弁制御手段１８により第２の２方弁１２も閉じられる。その結果、圧縮機１の空間８は圧縮機１の吐出側の配管２６と連通するため高圧となり、しかも第３の２方弁３は閉じられるため、圧縮機１の空間８には高圧の冷媒が流れ込む。そして、圧縮機１の外側外郭６は室外熱交換器送風機２７から送られる空気などの流路１４に面しており、また放熱用フィン１５を設けているため、圧縮機１の空間８の高圧冷媒は凝縮し液冷媒が溜まる。そして、第１の２方弁制御手段１７により第１の２方弁１０は閉じられ、第３の２方弁制御手段１９により第３の２方弁３は開かれると、圧縮機１の空間８には液冷媒が溜まった状態に保たれ、空気調和装置は通常の運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【００９１】
また運転中において、運転サーモスタットがオフしても、第１の２方弁１０、第２の２方弁１２、第３の２方弁３の開閉状態はそのまま保たれ、圧縮機１の空間８内の冷媒状態もそのままの状態に保たれる。
【００９２】
次に暖房運転では、４方弁２３は室外熱交換器２４が蒸発器となるように冷凍サイクルが切り替えられ、運転状態検出手段１６により圧縮機１からの放熱を抑制する運転モードが選択されると、この信号を受けた第１の２方弁制御手段１７により第１の２方弁１０は開かれる。その結果、圧縮機１の空間８は配管２６と同低圧となり、低圧のガス冷媒が溜まる。その後、第１の２方弁制御手段１７により第１の２方弁１０は閉じられ、通常の暖房運転を行う。その結果、圧縮機１の空間８は低圧のガス冷媒が溜まった状態で暖房運転され、圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【００９３】
また、上記した暖房運転時に第３の２方弁制御手段１９によりキャピラリチューブ４と直列に接続された第３の２方弁３が閉められ、第１の２方弁制御手段１７により第１の２方弁１０が開かれると、圧縮機１は第３の２方弁３から下流側の冷媒を吸入するため、上記した低圧はどんどん低下し大気圧以下になり、圧縮機１の空間８の圧力も大気圧以下となる。その後、上記したように第１の２方弁制御手段１７により第１の２方弁１０が閉じられ、第３の２方弁制御手段１９により第３の２方弁３が開かれると、圧縮機１の空間８の圧力は大気圧以下の状態に保たれ、空気調和装置は通常の暖房運転を行う。従って、ガス冷媒の熱伝導率は更に低下し、圧縮機表面からの放熱をより抑制することができ、暖房能力をより増加させエネルギー効率を向上させることができ、空気調和装置の信頼性も、更に向上させることができる。
【００９４】
また、室外熱交換器２４周囲の温度が高い場合など過負荷状態で高圧や吐出温度が上昇する場合、運転状態検出手段１６により圧縮機１からの放熱を促進する運転モードが選択されると、この選択信号を受けた第２の２方弁制御手段１８により第２の２方弁１２は開かれ、第３の２方弁制御手段１９により第３の２方弁３は閉じられる。圧縮機１の空間８は圧縮機１の吐出側の配管２９と連通するため高圧となり、第３の２方弁３は閉じられるため、圧縮機１の空間８には高圧の冷媒が流れ込む。そして、圧縮機１の外側の外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。そして、第２の２方弁制御手段１８は第２の２方弁１２を閉じ、第３の２方弁制御手段１９は第３の２方弁３を開成すると、圧縮機１の空間８には液冷媒が溜まった状態に保たれ、空気調和装置は通常の暖房運転に戻る。従って、圧縮機１表面から放熱しやすくなり、凝縮圧力を低下させることができるため、圧縮機１の吐出圧力や吐出温度の上昇を防ぎ、空気調和装置の信頼性を向上させることができる。
【００９５】
なお、上記実施例７では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して冷凍負荷の状態を判断しているが、これに限定されるものではなく、同じ目的、作用効果が得られるのであれば他の構成でもよい。
【００９６】
（実施例８）
図１０は、本発明の実施例８における空気調和装置の冷凍サイクル図である。この発明は、室外熱交換器と第３の２方弁の間の配管に第１の２方弁を介して接続した圧縮機の空間を、更に室内熱交換器と4方弁の間の配管２９に第２の２方弁
を介して接続した点以外は図８の実施例６の発明と同じなので、同一構成、作用効果を奏する部分には図８と同一符号を付して詳細な説明を省略し、異なる部分を中心に説明する。
【００９７】
同図において、図８の実施例と異なるのは、圧縮機１の空間８を室内熱交換器２５と４方弁２３の間の配管２９に第２の２方弁１２を介して接続したものである。そして、第１の２方弁制御手段１７、第２の２方弁制御手段１８、第３の２方弁制御手段１９は運転状態検出手段１６からの信号を受けて、第１の２方弁１０、第２の２方弁１２、第３の２方弁３の開閉を制御するものである。
【００９８】
上記実施例８において、空気調和装置の動作も図８に示す実施例６と同じであるが、冷房運転時、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、第３の２方弁制御手段１９により第３の２方弁３は閉じられ、そして第２の２方弁制御手段１８により第２の２方弁１２も閉じられる。その結果、圧縮機１の空間８は室外熱交換器２４と第３の２方弁３の間の配管２８と連通し、第３の２方弁３は閉じられるため、圧縮機１の空間８には室外熱交換器２４で液化された高圧の液冷媒が流れ込み、容易に液冷媒が溜まる。その後、第１の２方弁制御手段１７により第１の２方弁１０は閉じられ、第３の２方弁制御手段１９により第３の２方弁３は開かれると、圧縮機１の空間８には液冷媒が溜まった状態に保たれ、空気調和装置は通常の冷房運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【００９９】
また、室外熱交換器２４周囲の温度が高い場合など過負荷状態で高圧や吐出温度が上昇するような暖房運転時に運転状態検出手段１６により圧縮機１からの放熱を促進する運転モードが選択されると、４方弁２３は室外熱交換器２４が凝縮器になるように冷凍サイクルが切り替えられ、前記選択の信号を受けた第１の２方弁制御手段１７により第１の２方弁１０は開かれ、第３の２方弁制御手段１９により第３の２方弁３は閉じられ、そして第２の２方弁制御手段１８により第２の２方弁１２も閉じられる。その結果、圧縮機１の空間８は室外熱交換器２４と第３の２方弁３の間の配管２８と連通し、第３の２方弁３は閉じられるため、圧縮機１の空間８には室外熱交換器２４で液化された高圧の液冷媒が流れ込み、容易に液冷媒が溜まる。そして、第１の２方弁制御手段１７により第１の２方弁１０は閉じられ、第３の２方弁制御手段１９により第３の２方弁３は開かれ、４方弁２３は室外熱交換器２４が蒸発器になるように冷凍サイクルが切り替えられると、圧縮機１の空間８には液冷媒が溜まった状態に保たれ、空気調和装置は通常の暖房運転に戻る。従って、液冷媒の作用により圧縮機１の表面から放熱しやすくなり、凝縮圧力を低下させることができるためエネルギー効率が高くなる。さらに、圧縮機１の吐出圧力や吐出温度の上昇を防ぎ、空気調和装置の信頼性を向上させることができる。
【０１００】
なお、上記実施例８では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して冷凍負荷の状態を判断しているが、これに限定されるものではなく、同じ目的、作用効果が得られるのであれば他の構成でもよい。
【０１０１】
（実施例９）
図１１は、本発明の一実施例による空気調和装置の冷凍サイクル図である。この発明は、圧縮機の空間を、圧縮機の吐出配管に第１の２方弁を介して接続し、かつ圧縮機の吸入配管に第２の２方弁を介して接続した点以外は図９の実施例７の発明と同じなので、同一構成、作用効果を奏する部分には図９と同一符号を付して詳細な説明を省略し、異なる部分を中心に説明する。
【０１０２】
同図において、図９の実施例７と異なるのは、圧縮機１の空間８を、圧縮機１の吐出配管９に第１の２方弁１０を介して接続し、かつ圧縮機１の空間８を圧縮機１の吸入配管１１に第２の２方弁１２を介して接続し冷凍サイクルを構成していることである。そして、第１の２方弁制御手段１７、第２の２方弁制御手段１８、第３の２方弁制御手段１９は運転状態検出手段１６からの信号を受けて、第１の２方弁１０、第２の２方弁１２、第３の２方弁３の開閉を制御するものである。すなわち、空調負荷の状態に応じて運転状態検出手段１６は、圧縮機１の放熱促進をする信号を出力すると、第１の２方弁制御手段１７は、前記信号に応じて第１の２方弁１０を開き、一定時間後に閉じ、一方、前記信号を受けた第２の２方弁制御手段１８は第２の２方弁１２を閉じ、同じく第３の２方弁制御手段１９は第３の２方弁３を閉じ、一定時間後に開くものである。また、空調負荷の状態に応じて運転状態検出手段１６は、圧縮機１の放熱を抑制する信号を出力すると、第１の２方弁制御手段１７は、前記信号に応じて第１の２方弁１０を閉じ、一方、前記信号を受けた第２の２方弁制御手段１８は第２の２方弁１２を開き一定時間後に閉じ、同じく第３の２方弁制御手段１９は第３の２方弁３を閉じ、そして一定時間後に開くのである。
【０１０３】
上記実施例９において、空気調和装置が冷房運転を開始した時、室外熱交換器２４周囲の温度が低い場合や、冷房負荷が小さい場合、運転状態検出手段１６により圧縮機１からの放熱を抑制する運転モードが選択されると、この選択信号を受けた第２の２方弁制御手段１８により第２の２方弁１２は開かれ、第１の２方弁制御手段１７により第１の２方弁１０は閉じられる。その結果、圧縮機１の空間８は吸入配管１１と同低圧となり、低圧のガス冷媒が溜まる。その後、第２の２方弁制御手段１８により第２の２方弁１２は閉じられる。従って、ガス冷媒の作用により圧縮機１の空間８は低圧のガス冷媒が溜まった状態で冷房運転され、圧縮機１の表面から放熱しにくくなり、圧縮機１の吐出温度が早く上昇し、圧縮機１内での冷媒の凝縮を防ぎ、空気調和装置の信頼性を向上させることができる。
【０１０４】
また、上記した冷房運転時に第３の２方弁制御手段１９によりキャピラリチューブ４と直列に接続された第３の２方弁３は閉められ、第２の２方弁制御手段１８により第２の２方弁１２は開成すると、圧縮機１は第３の２方弁３から下流側の冷媒を吸入するため、低圧はどんどん低下し大気圧以下になり、圧縮機１の空間８の圧力も大気圧以下となる。その後、上記したように第２の２方弁制御手段１８により第２の２方弁１２は閉じられ、第３の２方弁制御手段１９により第３の２方弁３は開かれると、圧縮機１の空間８の圧力は大気圧以下の状態に保たれ、空気調和装置は通常の冷房運転に戻る。従って、ガス冷媒の熱伝導率は更に低下し、圧縮機表面からの放熱をより抑制することができ、空気調和装置の信頼性を更に向上させることができる。
【０１０５】
また、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、第３の２方弁制御手段１９により第３の２方弁３は閉じられ、第２の２方弁制御手段１８により第２の２方弁１２は閉じられる。その結果、圧縮機１の空間８は圧縮機１の吐出側と連通するため高圧となり、第３の２方弁３は閉じられるため、圧縮機１の空間８には高圧の冷媒が流れ込む。圧縮機１の外側外郭６は室外熱交換器送風機２７から送られる空気などの流路１４に面しており、また放熱用フィン１５を設けているため、圧縮機１の空間８の高圧冷媒は凝縮し液冷媒が溜まる。そして、第１の２方弁制御手段１７により第１の２方弁１０は閉じられ、第３の２方弁制御手段１９により第３の２方弁３は開かれると、圧縮機１の空間８には液冷媒が溜まった状態に保たれ、空気調和装置は通常の冷房運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【０１０６】
また運転中において、運転サーモスタットがオフしても、第１の２方弁１０、第２の２方弁１２、第３の２方弁３の開閉状態はそのまま保たれ、圧縮機１の空間８内の冷媒状態もそのままの状態に保たれる。
【０１０７】
次に暖房運転では、４方弁２３は室外熱交換器２４が蒸発器になるように冷凍サイクルが切り替えられ、運転状態検出手段１６により圧縮機１からの放熱を抑制する運転モードが選択されると、この選択信号を受けた第２の２方弁制御手段１８により第２の２方弁１２は開かれ、第１の２方弁制御手段１７により第１の２方弁１０は閉じられる。その結果、圧縮機１の空間８は吸入配管１１と同低圧となり、低圧のガス冷媒が溜まる。その後、第２の２方弁制御手段１８により第２の２方弁１２が閉じられ、通常の暖房運転を行う。従って、圧縮機１の空間８は低圧のガス冷媒が溜まった状態で暖房運転され、ガス冷媒の作用により圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【０１０８】
また、上記した暖房運転時に第３の２方弁制御手段１９により第３の２方弁３が閉じられ、第２の２方弁制御手段１８により第２の２方弁１２が開かれると、圧縮機１は第３の２方弁３から下流側の冷媒を吸入するため、吸入配管１１の低圧はどんどん低下し大気圧以下になり、圧縮機１の空間８の圧力も大気圧以下となる。その後、第２の２方弁制御手段１８により第２の２方弁１２は閉じられ、第３の２方弁制御手段１９により第３の２方弁３は開かれると、圧縮機１の空間８の圧力は大気圧以下の状態に保たれ、空気調和装置は通常の暖房運転を行う。従って、ガス冷媒の熱伝導率は更に低下し、圧縮機表面からの放熱をより抑制することができ、暖房能力をより増加させエネルギー効率を向上させることができ、空気調和装置の信頼性も更に向上させることができる。
【０１０９】
また、室外熱交換器２４周囲の温度が高い場合など過負荷状態で高圧や吐出温度が上昇する場合、運転状態検出手段１６により圧縮機１からの放熱を促進する運転モードが選択されると、この選択信号を受けた第１の２方弁制御手段１７により第１の２方弁１０は開かれ、第３の２方弁制御手段１９により第３の２方弁３は閉じられ、第２の２方弁制御手段１８により第２の２方弁１２は閉じられる。その結果、圧縮機１の空間８は圧縮機１の吐出配管９と連通するため高圧となり、そして第３の２方弁３は閉じられるため、圧縮機１の空間８には高圧の冷媒が流れ込む。そして、圧縮機１の外側外郭６は室外熱交換器送風機２７から送られる空気などの流路１４に面しており、また放熱用フィン１５を設けているため、圧縮機１の空間８の高圧冷媒は凝縮し液冷媒が溜まる。そして、第１の２方弁制御手段１７により第１の２方弁１０は閉じ、第３の２方弁制御手段１９により第３の２方弁３は開かれると、圧縮機１の空間８には液冷媒が溜まった状態に保たれ、空気調和装置は通常の暖房運転に戻る。従って、液冷媒の作用により圧縮機１表面から放熱しやすくなり、凝縮圧力を低下させることができるため、圧縮機１の吐出圧力や吐出温度の上昇を防ぎ、空気調和装置の信頼性を向上させることができる。
【０１１０】
なお、上記実施例９では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して空調負荷の状態を判断しているが、これに限定されるものではなく、同じ目的、作用効果が得られるのであれば他の構成でもよい。
【０１１１】
（実施例１０）
図１２は、本発明の一実施例における空気調和装置の冷凍サイクル図である。この発明は、絞り装置に全閉可能な膨張弁を用い、この膨張弁の開度を制御する膨張弁開度制御手段を設け、第３の２方弁と第３の２方弁制御手段を除いた点以外は図６の実施例５の発明と同じなので、同一構成、作用効果を奏する部分には図６と同一符号を付して詳細な説明を省略し、異なる部分を中心に説明する。
【０１１２】
同図において、図６の実施例５と異なるのは、絞り装置に全閉可能な膨張弁２１を用い、膨張弁２１の開度を制御する膨張弁開度制御手段２２を設け、そして図６の第３の２方弁３と第３の２方弁制御手段１９を除いたものである。
【０１１３】
上記実施例１０において、空気調和装置が冷房運転を開始した時、室外熱交換器２４周囲の温度が低い場合や、冷房負荷が小さい場合、運転状態検出手段１６により圧縮機１からの放熱を抑制する運転モードが選択されると、この選択信号を受けた第１の２方弁制御手段１７により第１の２方弁１０は開かれ、圧縮機１の空間８は吐出側の配管２６に連通されて高圧の冷媒が流入し、膨張弁開度制御手段２２により膨張弁２１が絞られ、冷媒流量を低下させる。その結果、圧縮機１の吐出温度は高温となり、圧縮機１の空間８の冷媒は加熱されガス化し高圧のガス冷媒が溜まる。その後、第１の２方弁制御手段１７により第１の２方弁１０は閉じられ、膨張弁開度制御手段２２により膨張弁２１は適度に開かれ通常の冷房運転に戻る。従って、圧縮機１の空間８は高圧のガス冷媒が溜まった状態で冷房運転され、圧縮機１の表面から放熱しにくくなり、圧縮機１の吐出温度が早く上昇し、圧縮機１内での冷媒の凝縮を防ぎ、空気調和装置の信頼性を向上させることができる。
【０１１４】
また、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、膨張弁開度制御手段２２により膨張弁２１が全閉される。その結果、圧縮機１の空間８は圧縮機１の吐出側である配管２６と連通するため高圧となり、膨張弁開度制御手段２２により膨張弁２１は閉じられるため、圧縮機１の空間８には高圧の冷媒が流れ込む。圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。そして、第１の２方弁制御手段１７により第１の２方弁１０が閉じられ、膨張弁開度制御手段２２により膨張弁２１が適度に開かれると、圧縮機１の空間８には液冷媒が溜まった状態に保たれ、空気調和装置は通常の運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【０１１５】
また運転中において、運転サーモスタットがオフしても、第１の２方弁１０、膨張弁２１の開閉状態はそのまま保たれ、圧縮機１の空間８内の冷媒状態もそのままの状態に保たれる。
【０１１６】
次に暖房運転では、４方弁２３は室外熱交換器２４が蒸発器となるように冷凍サイクルが切り替えられ、運転状態検出手段１６により圧縮機１からの放熱を抑制する運転モードが選択されると、この信号を受けた第１の２方弁制御手段１７により第１の２方弁１０が開かれる。その結果、圧縮機１の空間８は低圧の配管２６と同低圧となり、低圧のガス冷媒が溜まる。その後、第１の２方弁制御手段１７により第１の２方弁１０は閉じられ、通常の暖房運転を行う。その結果、圧縮機１の空間８は低圧のガス冷媒が溜まった状態で暖房運転され、ガス冷媒の作用で圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【０１１７】
また、上記した暖房運転時に膨張弁開度制御手段２２により膨張弁２１が全閉されると、圧縮機１は膨張弁２１から下流側の冷媒を吸入するため、配管２６側の低圧はどんどん低下し大気圧以下になり、圧縮機１の空間８の圧力も大気圧以下となる。その後、上記したように第１の２方弁制御手段１７により第１の２方弁１０は閉じられ、膨張弁開度制御手段２２により膨張弁２１は適度に開かれると、圧縮機１の空間８の圧力は大気圧以下の状態に保たれ、空気調和装置は通常の暖房運転を行う。従って、ガス冷媒の熱伝導率は更に低下し、圧縮機表面からの放熱をより抑制することができ、暖房能力をより増加させエネルギー効率を向上させることができ、空気調和装置の信頼性も更に向上させることができる。
【０１１８】
また、室外熱交換器２４周囲の温度が高い場合など過負荷状態で高圧や吐出温度が上昇する場合、運転状態検出手段１６により圧縮機１からの放熱を促進する運転モードが選択されると、４方弁２３は室外熱交換器２４が凝縮器となるように冷凍サイクルが切り替えられ、第１の２方弁制御手段１７により第１の２方弁１０は開かれ、膨張弁開度制御手段２２により膨張弁２１が全閉される。その結果、圧縮機１の空間８は圧縮機１の吐出側と配管２６を介して連通するため高圧となり、膨張弁２１が全閉されるため、圧縮機１の空間８には高圧の冷媒が流れ込む。圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。そして、第１の２方弁制御手段１７により第１の２方弁１０は閉じ、膨張弁開度制御手段２２により膨張弁２１は適度に開かれ、４方弁２３は室外熱交換器２４が蒸発器となるように冷凍サイクルが切り替えられ、圧縮機１の空間８には液冷媒が溜まった状態に保たれ、空気調和装置は通常の暖房運転に戻る。従って、液冷媒により圧縮機１表面から放熱しやすくなり、凝縮圧力を低下させることができるため、圧縮機１の吐出圧力や吐出温度の上昇を防ぎ、空気調和装置の信頼性を向上させることができる。
【０１１９】
なお、上記実施例１０では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して空調負荷の状態を判断しているが、これに限定されるものではなく、同じ目的、作用効果が得られるのであれば他の構成でもよい。
【０１２０】
（実施例１１）
図１３は、本発明の実施例１１における空気調和装置の冷凍サイクル図である。この発明は、圧縮機の空間を、室外熱交換器と膨張弁の間の配管に第１の２方弁を介して接続した点以外は図１２の実施例１０の発明と同じなので、同一構成、作用効果を奏する部分には図１２と同一符号を付して詳細な説明を省略し、異なる部分を中心に説明する。
【０１２１】
同図において、図１２の実施例１０と異なるのは、圧縮機１の空間８を、室外熱交換器２４と膨張弁２１の間の配管２８に第１の２方弁１０を介して接続したことである。
【０１２２】
上記実施例１１において、空気調和装置の動作も図１２に示す実施例１０と同じである。そして、冷房運転時、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、膨張弁開度制御手段２２により膨張弁２１は閉じられる。その結果、圧縮機１の空間８は室外熱交換器２４と膨張弁２１の間の配管２８に連通し、そして膨張弁２１は閉じられるため、圧縮機１の空間８には凝縮器２で液化された高圧の液冷媒が流れ込み、容易に液冷媒が溜まる。その後、第１の２方弁制御手段１７により第１の２方弁１０は閉じられ、圧縮機１の空間８には液冷媒が溜まった状態に保たれ、空気調和装置は通常の冷房運転に戻る。従って、液冷媒の作用により圧縮機１表面から放熱しやすくなり、凝縮圧力を低下させることができるためエネルギー効率が高くなる。さらに、冷房負荷が高い場合でも圧縮機１の吐出圧力や吐出温度の上昇を防ぎ、空気調和装置の信頼性を向上させることができる。
【０１２３】
また、室外熱交換器２４周囲の温度が高い場合など過負荷状態で高圧や吐出温度が上昇するような暖房運転時に運転状態検出手段１６により圧縮機１からの放熱を促進する運転モードが選択されると、４方弁２３は室外熱交換器２４が凝縮器になるように冷凍サイクルが切り替えられ、第１の２方弁制御手段１７により第１の２方弁１０が開かれ、膨張弁開度制御手段２２により膨張弁２１は閉じられる。その結果、圧縮機１の空間８は室外熱交換器２４と膨張弁２１の間の配管２８に連通し、そして膨張弁２１は閉じられるため、圧縮機１の空間８には室外熱交換器２４で液化された高圧の液冷媒が流れ込み、容易に液冷媒が溜まる。その後、第１の２方弁制御手段１７により第１の２方弁１０は閉じられ、膨張弁開度制御手段２２により膨張弁２１は適度に開かれ、４方弁２３は室外熱交換器２４が蒸発器になるように冷凍サイクルが切り替えられ、圧縮機１の空間８には液冷媒が溜まった状態に保たれ、空気調和装置は通常の暖房運転に戻る。従って、液冷媒の作用により圧縮機１の表面から放熱しやすくなり、凝縮圧力を低下させることができるためエネルギー効率が高くなる。更に、圧縮機１の吐出圧力や吐出温度の上昇を防ぎ、空気調和装置の信頼性を向上させることができる。
【０１２４】
（実施例１２）
図１４は、本発明の実施例１２における空気調和装置の冷凍サイクル図である。この発明は、圧縮機の空間を、室内熱交換器と４方弁の間の配管に第２の２方弁を介して接続した点以外は図１２の実施例１０の発明と同じなので、同一構成、作用効果を奏する部分には図１２と同一符号を付して詳細な説明を省略し、異なる部分を中心に説明する。
【０１２５】
同図において、図１２の実施例１０と異なるのは、圧縮機１の空間８を、室内熱交換器２５と４方弁２３の間の配管２９に第２の２方弁１２を介して接続したことである。そして、第１の２方弁制御手段１７、第２の２方弁制御手段１８、膨張弁開度制御手段２２は運転状態検出手段１６からの信号を受けて、第１の２方弁１０、第２の２方弁１２、膨張弁２１の開閉を制御するものである。すなわち、空調負荷の状態に応じて運転状態検出手段１６は、冷房運転で、かつ圧縮機１の放熱を促進する信号を出力する、または暖房運転で、かつ圧縮機１の放熱を抑制する信号を出力すると、前記信号に応じて第１の２方弁制御手段１７は第１の２方弁１０を開き、一定時間後に閉じ、一方、前記信号を受けた第２の２方弁制御手段１８は第２の２方弁１２を閉じ、同じく膨張弁開度制御手段２２は膨張弁２１を閉じ、一定時間後に開くものである。また、空調負荷の状態に応じて運転状態検出手段１６は、冷房運転で、かつ圧縮機１の放熱を抑制する信号を出力する、または暖房運転で、かつ圧縮機１の放熱を促進する信号を出力すると、前記信号に応じて第１の２方弁制御手段１７は第１の２方弁１０を閉じ、一方、前記信号を受けた第２の２方弁制御手段１８は第２の２方弁１２を開き一定時間後に閉じ、同じく膨張弁開度制御手段２２は膨張弁２１を閉じ、そして一定時間後に開くのである。
【０１２６】
上記実施例１２において、空気調和装置が冷房運転を開始した時、室外熱交換器２４周囲の温度が低い場合や、冷房負荷が小さい場合、運転状態検出手段１６により圧縮機１からの放熱を抑制する運転モードが選択されると、この選択信号を受けた第２の２方弁制御手段１８により第２の２方弁１２は開かれ、第１の２方弁制御手段１７により第１の２方弁１０は閉じられる。その結果、圧縮機１の空間８は第２の２方弁１２を介して配管２９と同低圧となり、低圧のガス冷媒が溜まる。その後、第２の２方弁制御手段１８により第２の２方弁１２は閉じられる。従って、圧縮機１の空間８は低圧のガス冷媒が溜まった状態で冷房運転され、ガス冷媒の作用により圧縮機１の表面から放熱しにくくなり、圧縮機１の吐出温度が早く上昇し、圧縮機１内での冷媒の凝縮を防ぎ、空気調和装置の信頼性を向上させることができる。
【０１２７】
また、上記した冷房運転の開始時に膨張弁開度制御手段２２により膨張弁２１は閉じられ、圧縮機１は膨張弁２１から下流側の冷媒を吸入するため、低圧はどんどん低下し大気圧以下になり、圧縮機１の空間８の圧力も大気圧以下となる。その後、第２の２方弁制御手段１８により第２の２方弁１２が閉じられ、膨張弁開度制御手段２２により膨張弁２１は適度に開かれると、圧縮機１の空間８の圧力は大気圧以下の状態に保たれ、空気調和装置は通常の冷房運転に戻る。その結果、ガス冷媒の熱伝導率は更に低下し、圧縮機表面からの放熱をより抑制することができ、空気調和装置の信頼性を更に向上させることができる。
【０１２８】
また、室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、膨張弁開度制御手段２２により膨張弁２１は閉じられ、第２の２方弁制御手段１８により第２の２方弁１２は閉じられる。その結果、圧縮機１の空間８は第１の２方弁１０を介して圧縮機１の吐出側の配管２６と連通するため高圧となり、そして膨張弁２１は閉じられているため、圧縮機１の空間８には高圧の冷媒が流れ込む。そして、圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。その後、第１の２方弁制御手段１７により第１の２方弁１０は閉じられ、膨張弁開度制御手段２２により膨張弁２１は適度に開かれるため、圧縮機１の空間８には液冷媒が溜まった状態に保たれ、空気調和装置は通常の運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。また運転中において、運転サーモスタットがオフしても、第１の２方弁１０、第２の２方弁１２、膨張弁２１の開閉状態はそのまま保たれ、圧縮機１の空間８内の冷媒状態もそのままの状態に保たれる。
【０１２９】
次に暖房運転では、４方弁２３は室外熱交換器２４が蒸発器となるように冷凍サイクルが切り替えられ、運転状態検出手段１６により圧縮機１からの放熱を抑制する運転モードが選択されると、この選択信号を受けた第１の２方弁制御手段１７により第１の２方弁１０は開かれる。その結果、圧縮機１の空間８は第１の２方弁１０を介して配管２６と同低圧となり、低圧のガス冷媒が溜まる。その後、第１の２方弁制御手段１７により第１の２方弁１０は閉じられ、通常の暖房運転を行う。その結果、圧縮機１の空間８は低圧のガス冷媒が溜まった状態で暖房運転され、ガス冷媒の作用により圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【０１３０】
また、上記した暖房運転時に膨張弁開度制御手段２２により膨張弁２１は閉じられ、第１の２方弁制御手段１７により第１の２方弁１０は開かれているので、圧縮機１は膨張弁２１から下流側の冷媒を吸入するため、低圧はどんどん低下し大気圧以下になり、圧縮機１の空間８の圧力も大気圧以下となる。その後、第１の２方弁制御手段１７により第１の２方弁１０が閉じられ、膨張弁開度制御手段２２により膨張弁２１が適度に開かれると、圧縮機１の空間８の圧力は大気圧以下の状態に保たれ、空気調和装置は通常の暖房運転を行う。従って、ガス冷媒の熱伝導率は更に低下し、圧縮機表面からの放熱をより抑制することができ、暖房能力をより増加させエネルギー効率を向上させることができ、空気調和装置の信頼性も更に向上させることができる。
【０１３１】
また、室外熱交換器２４周囲の温度が高い場合など過負荷状態で高圧や吐出温度が上昇する場合、運転状態検出手段１６により圧縮機１からの放熱を促進する運転モードが選択されると、この選択信号を受けた第２の２方弁制御手段１８により第２の２方弁１２は開かれ、膨張弁開度制御手段２２により膨張弁２１は閉じられる。その結果、圧縮機１の空間８は第２の２方弁１２を介して圧縮機１の吐出側の配管２９と連通するため高圧となり、そして膨張弁２１は閉じられるため、圧縮機１の空間８には高圧の冷媒が流れ込む。そして、圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。そして、第２の２方弁制御手段１８により第２の２方弁１２は閉じられ、膨張弁開度制御手段２２により膨張弁２１は適度に開かれると、圧縮機１の空間８には液冷媒が溜まった状態に保たれ、空気調和装置は通常の暖房運転に戻る。従って、液冷媒の作用により圧縮機１表面から放熱しやすくなり、凝縮圧力を低下させることができるため、圧縮機１の吐出圧力や吐出温度の上昇を防ぎ、空気調和装置の信頼性を向上させることができる。
【０１３２】
なお、上記実施例１２では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して空調負荷の状態を判断しているが、これに限定されるものではなく、同じ目的、作用効果が得られるのであれば他の構成でもよい。
【０１３３】
（実施例１３）
図１５は、本発明の実施例１３における空気調和装置の冷凍サイクル図である。この発明は、圧縮機の空間を、室内熱交換器と４方弁の間の配管に第２の２方弁を介して接続した点以外は図１３の実施例１１の発明と同じなので、同一構成、作用効果を奏する部分には図１３と同一符号を付して詳細な説明を省略し、異なる部分を中心に説明する。
【０１３４】
同図において、図１３の実施例１１と異なるのは、圧縮機１の空間８を、室内熱交換器２５と４方弁２３の間の配管２９に第２の２方弁１２を介して接続したことである。そして、第１の２方弁制御手段１７、第２の２方弁制御手段１８、膨張弁開度制御手段２２は運転状態検出手段１６からの信号を受けて、第１の２方弁１０、第２の２方弁１２、膨張弁２１の開閉を制御するものである。すなわち、空調負荷の状態に応じて運転状態検出手段１６は、圧縮機１の放熱促進をす
る信号を出力すると、第１の２方弁制御手段１７は、前記信号に応じて第１の２方弁１０を開き、一定時間後に閉じ、一方、前記信号を受けた第２の２方弁制御手段１８は第２の２方弁１２を閉じ、同じく膨張弁開度制御手段２２は膨張弁２１を閉じ（暖房時には全開する）、一定時間後に開くものである。また、空調負荷の状態に応じて運転状態検出手段１６は、圧縮機１の放熱を抑制する信号を出
力すると、第１の２方弁制御手段１７は、前記信号に応じて第１の２方弁１０を閉じ、一方、前記信号を受けた第２の２方弁制御手段１８は第２の２方弁１２を開き一定時間後に閉じ、同じく膨張弁開度制御手段２２は膨張弁２１を閉じ、そして一定時間後に開くのである。
【０１３５】
上記実施例１３において、空気調和装置の動作も図１３に示す実施例１１と同じである。そして、冷房運転時に室外熱交換器２４周囲の温度が高い場合や、冷房負荷が大きい場合、運転状態検出手段１６により圧縮機１からの放熱を促進する運転モードが選択されると、この選択信号を受けた第１の２方弁制御手段１７により第１の２方弁１０は開かれ、膨張弁開度制御手段２２により膨張弁２１は閉じられる。その結果、圧縮機１の空間８は第１の２方弁１０を介して室外熱交換器２４と膨張弁２１の間の配管２８に連通し、そして膨張弁２１は閉じられるため、圧縮機１の空間８には室外熱交換器２４で液化された高圧の液冷媒が流れ込み、容易に液冷媒が溜まる。その後、第１の２方弁制御手段１７により第１の２方弁１０は閉じられ、膨張弁開度制御手段２２により膨張弁２１は適度に開かれ、圧縮機１の空間８には液冷媒が溜まった状態に保たれ、空気調和装置は通常の冷房運転に戻る。従って、液冷媒の作用により圧縮機１表面から放熱しやすくなり、凝縮圧力を低下させることができるためエネルギー効率が高くなる。さらに、冷房負荷が高い場合でも圧縮機１の吐出圧力や吐出温度の上昇を防ぎ、空気調和装置の信頼性を向上させることができる。
【０１３６】
また、室外熱交換器２４周囲の温度が高い場合など過負荷状態で高圧や吐出温度が上昇するような暖房運転時に運転状態検出手段１６により圧縮機１からの放熱を促進する運転モードが選択されると、この選択信号を受けた第１の２方弁制御手段１７により第１の２方弁１０が開かれ、膨張弁開度制御手段２２により膨張弁２１は全開まで開かれる。その結果、圧縮機１の空間８は第１の２方弁１０を介して室外熱交換器２４と膨張弁２１の間の配管２８に連通し、室内熱交換器２５で凝縮した液冷媒は、膨張弁２１で減圧されず、圧縮機１の空間８には高圧の液冷媒が流れ込み、容易に液冷媒が溜まる。そして、第１の２方弁制御手段１７により第１の２方弁１０は閉じられ、膨張弁開度制御手段２２により膨張弁２１は適度に絞られ、圧縮機１の空間８には液冷媒が溜まった状態に保たれ、空気調和装置は通常の暖房運転に戻る。従って、液冷媒の作用により圧縮機１表面から放熱しやすくなり、凝縮圧力を低下させることができるためエネルギー効率が高くなる。更に、圧縮機１の吐出圧力や吐出温度の上昇を防ぎ、空気調和装置の信頼性を向上させることができる。
【０１３７】
なお、上記実施例１３では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して空調負荷の状態を判断しているが、これに限定されるものではなく、同じ目的、作用効果が得られるのであれば他の構成でもよい。
【０１３８】
（実施例１４）
図１６は、本発明の実施例１４における空気調和装置の冷凍サイクル図である。この発明は、圧縮機の空間を、圧縮機の吐出配管に第１の２方弁を介して接続し、かつ圧縮機の吸入配管に第２の２方弁を介して接続した点以外は図１４の実施例１３の発明と同じなので、同一構成、作用効果を奏する部分には図１４と同一符号を付して詳細な説明を省略し、異なる部分を中心に説明する。
【０１３９】
同図において、図１４の実施例１３と異なるのは、圧縮機１の空間８を、圧縮機１の吐出配管９に第１の２方弁１０を介して接続し、かつ圧縮機１の吸入配管１１に第２の２方弁１２を介して接続し冷凍サイクルを構成していることである。
【０１４０】
そして、第１の２方弁制御手段１７、第２の２方弁制御手段１８、膨張弁開度制御手段２２は運転状態検出手段１６からの信号を受けて、第１の２方弁１０、第２の２方弁１２、膨張弁２１の開閉を制御するものである。すなわち、空調負荷の状態に応じて運転状態検出手段１６は、圧縮機１の放熱促進をする信号を出力すると、第１の２方弁制御手段１７は、前記信号に応じて第１の２方弁１０を開き、一定時間後に閉じ、一方、前記信号を受けた第２の２方弁制御手段１８は第２の２方弁１２を閉じ、同じく膨張弁開度制御手段２２は膨張弁２１を閉じ、一定時間後に開くものである。また、空調負荷の状態に応じて運転状態検出手段１６は、圧縮機１の放熱を抑制する信号を出力すると、第１の２方弁制御手段１７は、前記信号に応じて第１の２方弁１０を閉じ、一方、前記信号を受けた第２の２方弁制御手段１８は第２の２方弁１２を開き一定時間後に閉じ、同じく膨張弁開度制御手段２２は膨張弁２１を閉じ、そして一定時間後に開くのである。上記実施例１４において、空気調和装置が冷房運転を開始した時、室外熱交換器２４周囲の温度が低い場合や、冷房負荷が小さい場合、運転状態検出手段１６により圧縮機１からの放熱を抑制する運転モードが選択されると、この選択信号を受けた第２の２方弁制御手段１８により第２の２方弁１２は開かれ、第１の２方弁制御手段１７により第１の２方弁１０は閉じられる。その結果、圧縮機１の空間８は第２の２方弁１２を介して吸入配管１１と同低圧となり、低圧のガス冷媒が溜まる。その後、第２の２方弁制御手段１８により第２の２方弁１２は閉じられる。その結果、圧縮機１の空間８は低圧のガス冷媒が溜まった状態で冷房運転され、圧縮機１の表面から放熱しにくくなり、圧縮機１の吐出温度が早く上昇し、圧縮機１内での冷媒の凝縮を防ぎ、空気調和装置の信頼性を向上させることができる。
【０１４１】
また、上記した冷房運転時に膨張弁開度制御手段２２により膨張弁２１は閉じられ、第２の２方弁制御手段１８により第２の２方弁１２は開かれているので、圧縮機１は膨張弁２１から下流側の冷媒を吸入するため、低圧はどんどん低下し大気圧以下になり、圧縮機１の空間８の圧力も大気圧以下となる。その後、第２の２方弁制御手段１８により第２の２方弁１２が閉じられ、膨張弁開度制御手段２２により膨張弁２１が適度に開かれると、圧縮機１の空間８の圧力は大気圧以下の状態に保たれ、空気調和装置は通常の冷房運転に戻る。その結果、ガス冷媒の熱伝導率は更に低下し、圧縮機表面からの放熱をより抑制することができ、空気調和装置の信頼性を更に向上させることができる。
【０１４２】
また、室外熱交換器２４周囲の温度が高い場合や、冷房負荷が大きい場合、運転状態検出手段１６により圧縮機１からの放熱を促進する運転モードが選択されると、第１の２方弁制御手段１７により第１の２方弁１０は開かれ、膨張弁開度制御手段２２により膨張弁２１は閉じられ、第２の２方弁制御手段１８により第２の２方弁１２は閉じられる。その結果、圧縮機１の空間８は第１の２方弁１０を介して圧縮機１の吐出配管９に連通するため高圧となり、そして膨張弁２１は閉じられるため、圧縮機１の空間８には高圧の冷媒が流れ込む。圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。その後、第１の２方弁制御手段１７により第１の２方弁１０は閉じられ、膨張弁開度制御手段２２により膨張弁２１は適度に開かれるため、圧縮機１の空間８には液冷媒が溜まった状態に保たれ、空気調和装置は通常の運転に戻る。従って、液冷媒の作用により圧縮機１表面から放熱しやすくなり、凝縮圧力を低下させることができるためエネルギー効率が高くなる。更に、冷房負荷が高い場合でも圧縮機１の吐出圧力や吐出温度の上昇を防ぎ、空気調和装置の信頼性を向上させることができる。
【０１４３】
また運転中において、運転サーモスタットがオフしても、第１の２方弁１０、第２の２方弁１２、膨張弁２１の開閉状態はそのまま保たれ、圧縮機１の空間８内の冷媒状態もそのままの状態に保たれる。
【０１４４】
次に暖房運転では、４方弁２３は室外熱交換器２４が蒸発器となるように冷凍サイクルが切り替えられ、運転状態検出手段１６により圧縮機１からの放熱を抑制する運転モードが選択されると、この選択信号を受けた第２の２方弁制御手段１８により第２の２方弁１２が開かれ、第１の２方弁制御手段１７により第１の２方弁１０は閉じられる。その結果、圧縮機１の空間８は第２の２方弁１２を介して吸入配管１１と同低圧となり、低圧のガス冷媒が溜まる。その後、第２の２方弁制御手段１８により第２の２方弁１２は閉じられ、通常の暖房運転を行う。その結果、圧縮機１の空間８は低圧のガス冷媒が溜まった状態で暖房運転され、圧縮機１の表面から放熱しにくくなり、圧縮機１の吐出温度が早く上昇し、暖房能力を増加させエネルギー効率を向上させることができる。また、圧縮機１内での冷媒の凝縮を防ぎ、空気調和装置の信頼性を向上させることができる。
【０１４５】
また、上記した暖房運転時に膨張弁開度制御手段２２により膨張弁２１は閉じられ、第２の２方弁制御手段１８により第２の２方弁１２は開かれているので、圧縮機１は膨張弁２１から下流側の冷媒を吸入するため、上記低圧はどんどん低下し大気圧以下になり、圧縮機１の空間８の圧力も大気圧以下となる。その後、第２の２方弁制御手段１８により第２の２方弁１２は閉じられ、膨張弁開度制御手段２２により膨張弁２１が適度に開かれると、圧縮機１の空間８の圧力は大気圧以下の状態に保たれ、空気調和装置は通常の暖房運転を行う。その結果、熱伝導率は更に低下し、圧縮機表面からの放熱をより抑制することができ、暖房能力をより増加させエネルギー効率を向上させることができ、空気調和装置の信頼性も、さらに向上させることができる。
【０１４６】
また、室外熱交換器２４周囲の温度が高い場合など過負荷状態で高圧や吐出温度が上昇する場合、運転状態検出手段１６により圧縮機１からの放熱を促進する運転モードが選択されると、この選択信号を受けた第１の２方弁制御手段１７により第１の２方弁１０は開かれ、膨張弁開度制御手段２２により膨張弁２１は閉じられ、第２の２方弁制御手段１８により第２の２方弁１２も閉じられる。その結果、圧縮機１の空間８は第１の２方弁１０を介して圧縮機１の吐出配管９に連通するため高圧となり、そして膨張弁２１は閉じられるため、圧縮機１の空間８には高圧の冷媒が流れ込む。そして、圧縮機１の外側外郭６は室外熱交換器送風機２７から送られる空気などの流路１４に面し、かつ放熱用フィン１５を設けているため冷却され、圧縮機１の空間８の高圧冷媒は凝縮し液冷媒が溜まる。そして、第１の２方弁制御手段１７により第１の２方弁１０は閉じられ、膨張弁開度制御手段２２により膨張弁２１は適度に開かれ、圧縮機１の空間８には液冷媒が溜まった状態に保たれ、空気調和装置は通常の暖房運転に戻る。従って、液冷媒の作用により圧縮機１表面から放熱しやすくなり、凝縮圧力を低下させることができるため、圧縮機１の吐出圧力や吐出温度の上昇を防ぎ、空気調和装置の信頼性を向上させることができる。
【０１４７】
なお、上記実施例１４では室外熱交換器２４の非加熱流体を空気としているが、非加熱流体を水などの液体とし、流体と圧縮機１の外郭を接するように構成し熱交換させるようにしても、同様な効果を奏する。また、運転状態検出手段１６は、室外熱交換器２４周囲の温度を検出して空調負荷の状態を判断しているが、これに限定されるものではなく、同じ目的、作用効果が得られるのであれば他の構成でもよい。
【０１４８】
【発明の効果】
本発明の請求項１に記載の発明の冷凍装置によれば、負荷の状態に応じて圧縮機の放熱促進および放熱抑制を行いエネルギー効率と装置の信頼性の向上を図ることができる。
【０１４９】
また、請求項２に記載の発明の冷凍装置によれば、圧縮機からの放熱促進を高め凝縮圧力を低下させることができるため、エネルギー効率を高くできるとともに、冷凍負荷が高い場合でも圧縮機の吐出圧力や吐出温度の上昇を防ぎ、冷凍装置の信頼性を向上させることができる。また、圧縮機からの放熱を抑制し、起動時や冷凍負荷が低い場合でも、圧縮機吐出温度を早く上昇せしめ、圧縮機内での冷媒の凝縮を防ぎ、冷凍装置の信頼性を向上させることができる。
【０１５０】
また、請求項３に記載の発明の冷凍装置によれば、圧縮機の空間に液冷媒を確実に溜めることができるとともに、圧縮機の放熱促進を高め凝縮圧力を低下させエネルギ−効率を高めることができ、更には冷凍負荷の高い場合でも圧縮機の吐出圧力や吐出温度の上昇を防止して装置の信頼性を向上できる。
【０１５１】
また、請求項４に記載の発明の冷凍装置によれば、圧縮機の空間にガス冷媒を、より簡単な構成で容易に溜めることができ、かつ大気圧以下に制御できて圧縮機の放熱を更に抑制できるとともに、冷凍負荷に応じた絞りも設定でき、装置の信頼性を更に向上できる。
【０１５２】
また、請求項５に記載の発明の冷凍装置によれば、圧縮機からの放熱促進を高め凝縮圧力を低下させることができるため、エネルギー効率を高くできるとともに、冷凍負荷が高い場合でも圧縮機の吐出圧力や吐出温度の上昇を防ぎ、冷凍装置の信頼性を向上させることができる。また、冷凍負荷に応じた絞りを設定できるため、冷凍装置の信頼性を更に向上させることができる。
【０１５３】
また、請求項６、請求項１４または請求項１５に記載の各発明の冷凍装置によれば、圧縮機からの放熱を更に促進することが可能になり、エネルギー効率の向上と冷凍装置の信頼性を向上させることができる。
【０１５４】
また、請求項７に記載の発明の空気調和装置によれば、圧縮機からの放熱を促進させて冷房運転時のエネルギー効率を高めることができるとともに、冷房負荷が高い場合でも圧縮機の吐出圧力や吐出温度の上昇を防ぎ、空気調和装置の信頼性を向上させることができる。また、圧縮機の放熱を抑制させて装置の信頼性を向上させることができるとともに、暖房運転時、暖房能力を増加させてエネルギー効率を向上させることができる。
【０１５５】
また、請求項８に記載の発明の空気調和装置によれば、圧縮機の空間に液冷媒を、より確実に溜めることができるとともに、圧縮機からの放熱促進を高め凝縮圧力を低下させてエネルギー効率を高くでき、かつ空調負荷が高い場合でも圧縮機の吐出圧力や吐出温度の上昇を防ぎ、装置の信頼性を向上させることができる。
【０１５６】
また、請求項９に記載の発明の空気調和装置によれば、圧縮機の空間にガス冷媒を、より確実に溜めることができるとともに、圧縮機の放熱を抑制させて装置の信頼性を向上させ、かつ暖房運転時、暖房能力を増加させてエネルギー効率を向上させることができる。
【０１５７】
また、請求項１０に記載の発明の空気調和装置によれば、圧縮機の空間に液冷媒を、より確実に溜めることができるとともに、圧縮機からの放熱促進を高め凝縮圧力を低下させてエネルギー効率を高くでき、かつ空調負荷が高い場合でも圧縮機の吐出圧力や吐出温度の上昇を防ぎ、装置の信頼性を向上させることができる。また、圧縮機の空間にガス冷媒を、より確実に溜めることができるとともに、圧縮機の放熱を抑制させて装置の信頼性を向上させ、かつ暖房運転時、暖房能力を増加させてエネルギー効率を向上させることができる。
【０１５８】
また、請求項１１に記載の発明の空気調和装置によれば、圧縮機の空間に液冷媒を、より簡単な制御で、より確実に溜めることができるとともに、圧縮機からの放熱促進を高め凝縮圧力を低下させてエネルギー効率を高くでき、かつ空調負荷が高い場合でも圧縮機の吐出圧力や吐出温度の上昇を防ぎ、装置の信頼性を向上させることができる。また、圧縮機の空間にガス冷媒を、より簡単な制御で、より確実に溜めることができるとともに、圧縮機の放熱を抑制させて装置の信頼性を向上させ、かつ暖房運転時、暖房能力を増加させてエネルギー効率を向上させることができる。
【０１５９】
また、請求項１２に記載の発明の空気調和装置によれば、圧縮機からの放熱をより抑制することができるとともに、空気調和装置の信頼性を更に向上させることができる。また、暖房時、暖房能力を増加させ、エネルギー効率も更に向上させることができる。
【０１６０】
また、請求項１３に記載の発明の空気調和装置によれば、より簡単な構成で圧縮機からの放熱を抑制できるとともに、冷房負荷や暖房負荷に応じた絞りを設定できるため、装置の信頼性を更に向上させることができる。
【０１６１】
また、請求項１６に記載の発明の制御方法によれば、圧縮機からの放熱促進を更に高めて凝縮圧力を低下させ、エネルギー効率を高くできるとともに、冷凍負荷が高い場合でも圧縮機の吐出圧力や吐出温度の上昇を防ぎ、装置の信頼性を向上させることができる。また、圧縮機からの放熱を抑制し起動時や冷凍負荷が低い場合でも圧縮機内での冷媒の凝縮を防止して装置の信頼性を向上させることができるとともに、暖房運転時に暖房能力を増加させてエネルギー効率を向上させることができる。
【０１６２】
また、請求項１７に記載の発明の制御方法によれば、圧縮機からの放熱抑制を更に高め、装置の信頼性を更に向上させることができる。
【図面の簡単な説明】
【図１】  本発明の実施例１における冷凍装置を示す冷凍サイクル図
【図２】  同実施例１における冷凍装置の本体を示す要部を切欠した斜視図
【図３】  同他の実施例２における冷凍装置を示す冷凍サイクル図
【図４】  同他の実施例３における冷凍装置を示す冷凍サイクル図
【図５】  同他の実施例４における冷凍装置を示す冷凍サイクル図
【図６】  本発明の実施例５における空気調和装置を示す冷凍サイクル図
【図７】  同実施例５における空気調和装置の本体を示す要部を切欠した斜視図
【図８】  同他の実施例６における空気調和装置を示す冷凍サイクル図
【図９】  同他の実施例７における空気調和装置を示す冷凍サイクル図
【図１０】  同他の実施例８における空気調和装置を示す冷凍サイクル図
【図１１】  同他の実施例９における空気調和装置を示す冷凍サイクル図
【図１２】  同他の実施例１０における空気調和装置を示す冷凍サイクル図
【図１３】  同他の実施例１１における空気調和装置を示す冷凍サイクル図
【図１４】  同他の実施例１２における空気調和装置を示す冷凍サイクル図
【図１５】  同他の実施例１３における空気調和装置を示す冷凍サイクル図
【図１６】  同他の実施例１４における空気調和装置を示す冷凍サイクル図
【図１７】  従来の冷凍装置を示す冷凍サイクル図
【符号の説明】
１  圧縮機
２  凝縮器
３  第３の２方弁
５  蒸発器
８  空間
９  吐出配管
１０  第１の２方弁
１１  吸入配管
１２  第２の２方弁
１４  流路
１５  放熱用フィン
１６  運転状態検出手段
１７  第１の２方弁制御手段
１８  第２の２方弁制御手段
１９  第３の２方弁制御手段
２１  膨張弁
２０，２６，２８，２９  配管
２２  膨張弁開度制御手段
２３  ４方弁
２４  室外熱交換器
２５  室内熱交換器
【図１】
0004265034.tif 000002
【図２】
0004265034.tif 000003
【図３】
0004265034.tif 000004
【図４】
0004265034.tif 000005
【図５】
0004265034.tif 000006
【図６】
0004265034.tif 000007
【図７】
0004265034.tif 000008
【図８】
0004265034.tif 000009
【図９】
0004265034.tif 000010
【図１０】
0004265034.tif 000011
【図１１】
0004265034.tif 000012
【図１２】
0004265034.tif 000013
【図１３】
0004265034.tif 000014
【図１４】
0004265034.tif 000015
【図１５】
0004265034.tif 000016
【図１６】
0004265034.tif 000017
【図１７】
0004265034.tif 000018